(57)【特許請求の範囲】
【請求項１】
モバイルアクセスゲートウェイ（ＭＡＧ）を使用してマルチキャストトラフィックを管理する方法であって、前記方法は、
前記ＭＡＧにおいて、モバイルノードから、前記モバイルノードに関連付けられた少なくとも１つのマルチキャストグループを示す情報を受信することと、
前記ＭＡＧにおいて、前記モバイルノードにマルチキャストトラフィックをルーティングするための前記少なくとも１つのマルチキャストグループに関連付けられたマルチキャストサブスクリプションを選択することであって、前記マルチキャストサブスクリプションは、少なくとも１つのマルチキャストポリシーに基づいて選択され、および前記マルチキャストサブスクリプションは、マルチキャストツリーモビリティアンカ（ＭＴＭＡ）サブスクリプションまたは直接ルーティングサブスクリプションの少なくとも１つを備える、ことと
を備える方法。
【請求項２】
前記少なくとも１つのマルチキャストポリシーは、前記ＭＡＧにおいて静的に事前構成される、請求項１の方法。
【請求項３】
前記少なくとも１つのマルチキャストポリシーは、少なくとも１つのユーザポリシーを備える、請求項２の方法。
【請求項４】
前記少なくとも１つのマルチキャストポリシーは、動的ポリシーである、請求項１の方法。
【請求項５】
前記少なくとも１つのマルチキャストポリシーの表示を、ローカルモビリティアンカ（ＬＭＡ）またはマルチキャストツリーモビリティアンカ（ＭＴＭＡ）から受信することをさらに備え、前記マルチキャストサブスクリプションの選択は、示された前記少なくとも１つのマルチキャストポリシーに基づいて動的に決定される、請求項４の方法。
【請求項６】
前記少なくとも１つのマルチキャストポリシーの前記表示は、プロキシバインディング確認応答（ＰＢＡ）メッセージを介して受信される、請求項５の方法。
【請求項７】
前記ＰＢＡメッセージは、前記少なくとも１つのマルチキャストポリシーに関連付けられた少なくとも１つの拡張フィールドを備える、請求項６の方法。
【請求項８】
前記少なくとも１つのマルチキャストポリシーは、モバイルノードポリシー、ユーザポリシー、通信事業者ポリシー、またはトラフィックポリシーの１または複数を備える、請求項７の方法。
【請求項９】
前記マルチキャストトラフィックは、第１のタイプのマルチキャストトラフィックおよび第２のタイプのマルチキャストトラフィックを備え、前記少なくとも１つのマルチキャストポリシーは、前記第１のタイプの前記マルチキャストトラフィックが、前記モバイルノードに関連付けられたホームドメイン経由でルーティングされるべきことと、前記第２のタイプの前記マルチキャストトラフィックが、前記モバイルノードに関連付けられたローカルドメイン経由でルーティングされるべきこととのうちの１または複数を示す、請求項１の方法。
【請求項１０】
マルチキャストトラフィックを管理するモバイルアクセスゲートウェイ（ＭＡＧ）であって、前記ＭＡＧは、
モバイルノードから、前記モバイルノードに関連付けられた少なくとも１つのマルチキャストグループを示す情報を受信するように構成されたトランシーバと、
前記モバイルノードにマルチキャストトラフィックをルーティングするための前記少なくとも１つのマルチキャストグループに関連付けられたマルチキャストサブスクリプションを選択するように構成されたプロセッサであって、前記マルチキャストサブスクリプションは、少なくとも１つのマルチキャストポリシーに基づいて選択され、および前記マルチキャストサブスクリプションは、マルチキャストツリーモビリティアンカ（ＭＴＭＡ）サブスクリプションまたは直接ルーティングサブスクリプションのうちの少なくとも１つを備える、プロセッサと
を備えたＭＡＧ。
【請求項１１】
前記少なくとも１つのマルチキャストポリシーは、前記ＭＡＧで静的に事前構成されている、請求項１０のＭＡＧ。
【請求項１２】
前記少なくとも１つのマルチキャストポリシーは、少なくとも１つのユーザポリシーを備える、請求項１１のＭＡＧ。
【請求項１３】
前記少なくとも１つのマルチキャストポリシーは動的ポリシーである、請求項１０のＭＡＧ。
【請求項１４】
前記トランシーバは、ローカルモビリティアンカ（ＬＭＡ）またはマルチキャストツリーモビリティアンカ（ＭＴＭＡ）から前記少なくとも１つのマルチキャストポリシーの表示を受信するようにさらに構成され、前記マルチキャストサブスクリプションの前記選択は、示された前記少なくとも１つのマルチキャストポリシーに基づいて動的に決定される、請求項１３のＭＡＧ。
【請求項１５】
前記少なくとも１つのマルチキャストポリシーの前記表示は、プロキシバインディング確認応答（ＰＢＡ）メッセージを介して受信される、請求項１４のＭＡＧ。
【請求項１６】
前記ＰＢＡメッセージは、前記少なくとも１つのマルチキャストポリシーに関連付けられた少なくとも１つの拡張フィールドを備える、請求項１５のＭＡＧ。
【請求項１７】
前記少なくとも１つのマルチキャストポリシーは、モバイルノードポリシー、ユーザポリシー、通信事業者ポリシー、またはトラフィックポリシーの１または複数を備える、請求項１６のＭＡＧ。
【請求項１８】
前記マルチキャストトラフィックは、第１のタイプのマルチキャストトラフィックおよび第２のタイプのマルチキャストトラフィックを備え、前記少なくとも１つのマルチキャストポリシーは、前記第１のタイプの前記マルチキャストトラフィックが、前記モバイルノードに関連付けられたホームドメイン経由でルーティングされるべきことと、前記第２のタイプの前記マルチキャストトラフィックが、前記モバイルノードに関連付けられたローカルドメイン経由でルーティングされるべきこととのうちの１または複数を示す、請求項１０のＭＡＧ。
【請求項１９】
前記プロセッサは、前記モバイルノードに前記マルチキャストトラフィックをルーティングするために前記少なくとも一つのマルチキャストグループのそれぞれについてそれぞれのマルチキャストサブスクリプションを選択するようにさらに構成される、請求項１０のＭＡＧ。
【発明の詳細な説明】
【技術分野】
【０００１】
本発明は、無線通信に関する。
【背景技術】
【０００２】
ネットワークメッセージおよび／またはネットワーク情報は、ユニキャスト伝送および／またはマルチキャスト伝送を使用して、ネットワークを介して通信するデバイス、またはデバイスのグループに送信可能である。マルチキャスト伝送は、単一の送信元が複数のネットワークエンティティに情報を送信可能な、１対多の配信を使用して実施され得る。このため、一部のマルチキャストモビリティ手順は、様々なエンティティ間で複数のトンネルが確立され得るトンネルコンバージェンス（tunnel convergence）をもたらすことが可能である。
【０００３】
しかし、データ伝送のためのマルチキャストネットワークの使用は、最適ではない。例えば、そのようなマルチキャストネットワークを介してコンテンツおよび／またはサービスを受信する無線送受信ユニット（ＷＴＲＵ）またはモバイルノード（ＭＮ）が、（例えば、このＷＴＲＵがカバレッジエリアを越えて移動した場合に）マルチキャストサービスに対するアクセスを失う可能性がある。このＷＴＲＵは、別の通信ネットワークを介して再サブスクライブし、かつ／または別の通信ネットワークを介してそのサービスを受信することができるが、そのデータセッションに関してセッション継続性は、失われる可能性がある。
【０００４】
さらに、マルチキャストサービスがＷＴＲＵまたはＭＮに利用可能な場合、これらのマルチキャストサービスが効率的に提供されない可能性がある。
【先行技術文献】
【非特許文献】
【０００５】
【非特許文献１】ＩＥＴＦ（Internet Engineering Task Force）  ＲＦＣ（Request for Comments）、第５２１３項
【発明の概要】
【０００６】
マルチキャストトラフィックを管理するシステム、方法および装置の実施形態が本明細書で説明される。例えば、マルチキャストトラフィックは、モバイルアクセスゲートウェイ（ＭＧＡ）を使用して管理され得る。ＭＡＧは、モバイルノードに関連付けられた少なくとも１つのマルチキャストグループの表示（indication）を受信することができる。この表示は、例えば、モバイルノードから受信可能である。ＭＡＧは、少なくとも１つのマルチキャストポリシーに基づいて、モバイルノードにマルチキャストトラフィックをルーティングするためのマルチキャストグループに関連付けられたマルチキャストサブスクリプションを決定することができる。
【０００７】
例示的な実施形態によれば、マルチキャストサブスクリプションは、ローカルサブスクリプションと遠隔サブスクリプションの間で選択することによって決定され得る。ローカルサブスクリプションは、モバイルノードに関連付けられた移動先ドメイン経由のサブスクリプションを含むことが可能である一方で、遠隔サブスクリプションは、モバイルノードに関連付けられたホームドメイン経由のサブスクリプションを含むことが可能である。
【０００８】
例示的な実施形態によれば、マルチキャストサブスクリプションは、少なくとも１つのマルチキャストポリシーに基づいて静的に事前構成され、または動的に決定され得る。また、マルチキャストサブスクリプションは、ユーザまたはモバイルノードから受信された望ましいサブスクリプションの表示に基づいて決定されてもよい。
【０００９】
この「概要」において説明される実施形態は、例として与えられており、本明細書の別の箇所で説明される実施形態の範囲を決して限定するものではない。
【図面の簡単な説明】
【００１０】
本明細書に添付図面と併せて例として与えられる後段の「発明を実施するための形態」からより詳細な理解を得ることができる。そのような図面における図は、詳細な説明と同様に例である。このため、これらの図および詳細な説明は、限定するものではない。
【図１】プロキシモバイルインターネットプロトコル（ＩＰ）ｖ６（ＰＭＩＰｖ６）ドメインのアーキテクチャを示す図である。
【図２Ａ】開示される１または複数の実施形態が実施され得る例示的な通信システムを示すシステム図である。
【図２Ｂ】図２Ａに示される通信システム内で使用され得る例示的な無線送受信ユニット（ＷＴＲＵ）を示すシステム図である。
【図２Ｃ】図２Ａに示される通信システム内で使用され得る例示的な無線アクセスネットワークおよび例示的なコアネットワークを示すシステム図である。
【図２Ｄ】マルチキャストモビリティネットワークの構成要素を備える例示的なブロック図である。
【図３】ＰＭＩＰマルチキャストトンネルアグリゲーションのアーキテクチャを示す図である。
【図４】専用のマルチキャストＬＭＡアーキテクチャを示す図である。
【図５Ａ】図４に示される専用のマルチキャストサービスを示す流れ図である。
【図５Ｂ】図４に示される専用のマルチキャストサービスを示す流れ図である。
【図６】ＰＭＩＰ  ＬＭＡ内マルチキャストモビリティ有効化のアーキテクチャを示す図である。
【図７Ａ】図６に示されるＬＭＡ内マルチキャストモビリティのためのネットワークのエンティティ間の通信を示す図である。
【図７Ｂ】図６に示されるＬＭＡ内マルチキャストモビリティのためのネットワークのエンティティ間の通信を示す図である。
【図８】ＰＭＩＰ  ＬＭＡ間マルチキャストモビリティ有効化のアーキテクチャを示す図である。
【図９】ハイブリッドネットワークにおけるマルチキャストモビリティのアーキテクチャを示す図である。
【図１０】マルチキャストアーキテクチャを示す図である。
【図１１】図１０のマルチキャストアーキテクチャを使用するマルチキャスト探索を示す図である。
【図１２】図１０のマルチキャストアーキテクチャを使用する別のマルチキャスト探索を示す図である。
【図１３】図１０のマルチキャストアーキテクチャを使用するさらなるマルチキャスト探索を示す図である。
【図１４】図１０のマルチキャストアーキテクチャを使用するさらなる別のマルチキャスト探索を示す図である。
【発明を実施するための形態】
【００１１】
本明細書において、モバイルノード（ＭＮ）という用語には、例えば、無線送受信ユニット（ＷＴＲＵ）が含まれ得る。ＷＴＲＵには、ユーザ機器（ＵＥ）、移動局、固定もしくはモバイルの加入者ユニット、ページャー、セルラ電話機、携帯情報端末（ＰＤＡ）、コンピュータ、または無線環境において動作可能な他の任意のタイプのデバイスが含まれ得るが、これらには限定されない。また、基地局という用語には、ノードＢ、サイトコントローラ、アクセスポイント（ＡＰ）、発展型ノードＢ（ｅＮＢ）、ルータ、ゲートウェイ、または無線環境において動作することができる他の任意のタイプのインターフェースをとるデバイスが含まれ得るが、これらに限定されない。
【００１２】
マルチキャストトラフィックオフロードを管理するシステム、方法および装置の実施形態が本明細書で説明される。マルチキャスト伝送は、宛先デバイス、または宛先デバイスのグループにデータ（例えば、ビデオデータ）を送信するために使用することができる。例えば、マルチキャスト伝送を使用して、データは、１または複数の送信元から単一の伝送において同時に送信可能である。ＭＮまたはエンドユーザにデータを継続的に送信するためにデータの初期の伝送の後、データのコピーが、他のネットワーク要素（例えば、ルータ、サーバなど）において作成され得る。
【００１３】
マルチキャストネットワークの例には、インターネットプロトコル（ＩＰ）マルチキャストネットワークが含まれ得る。ＩＰマルチキャストネットワークは、ＩＰアプリケーション（例えば、メディアおよび／またはインターネットテレビをストリーミングするためのアプリケーション）を実施することが可能である。ＩＰマルチキャストにおいて、マルチキャストは、ＩＰルーティングレベルで実施され得る。例えば、ルータおよび／または他のネットワークエンティティが、マルチキャスト宛先アドレスに送られるデータのための配信パス（例えば、効率的な配信パス）を作成することが可能である。
【００１４】
マルチキャストネットワークの別の例には、デジタルビデオブロードキャスト（ＤＶＢ）、ＭｅｄｉａＦＬＯ（media forward link only）などが含まれ得る。マルチキャストネットワークは、地域的であるネットワークカバレッジを有する可能性がある。例えば、そのようなマルチキャストネットワークを使用するＭＮまたはＷＴＲＵが、ＭＮがカバレッジエリアを越えて移動すると、マルチキャストサービスに対するアクセスを失う可能性がある。
【００１５】
双方向モバイル通信ネットワーク（例えば、３ＧＰＰ、マルチメディア放送／マルチキャスト型サービス（ＭＢＭＳ）など）において、モビリティは、それぞれの標準に準拠して実施される可能性がある。例えば、重ね合わされたダウンリンク専用および双方向のネットワークなどのハイブリッドネットワークにおいて、モビリティは、例えば、オープンモバイルアライアンスデジタルモバイルブロードキャストイネーブラ（ＯＭＡ  ＢＣＡＳＴ）を使用するなどして、アプリケーションレベルでサポートされる可能性がある。これらのタイプのハイブリッドネットワークは、ブレイクビフォアメイク（break-before-make）サービスを利用可能であり、このことが、サービス中断をもたらす可能性がある。
【００１６】
図１は、プロキシモバイルＩＰ（ＰＭＩＰ）ドメイン（例えば、ＰＭＩＰｖ４、ＰＭＩＰｖ６、または他の任意のバージョン）のアーキテクチャを示す。ＰＭＩＰは、ネットワークベースのモビリティ管理のために導入され得る。ネットワークベースの局所化されたモビリティ管理（ＮＥＴＬＭＮ）インフラストラクチャにおける機能エンティティは、ローカルモビリティアンカ（ＬＭＡ）１０２および／またはモバイルアクセスゲートウェイ（ＭＡＧ）１０６を含み得る。それぞれが異なるグループのＷＴＲＵ１０８にサービスを提供する複数のローカルモビリティアンカ（ＬＭＡ）１０２がＰＭＩＰドメイン内に常駐することが可能である。ＬＭＡ１０２は、ＷＴＲＵ１０８の到達可能性状態を維持することを担うことが可能であり、さらにＷＴＲＵ１０８のホームネットワークプレフィックス（ＨＮＰ）のためのトポロジ上のアンカポイントであることが可能である。ＭＡＧ１０６は、ＷＴＲＵ１０８に代行してモビリティ管理を実行するエンティティであることが可能である。それは、ＷＴＲＵ１０８がアンカされ得るアクセスリンク上に常駐することが可能である。ＭＡＧ１０６は、そのアクセスリンクに至る、またはそのアクセスリンクを離れるＷＴＲＵ１０８の動きを検出すること、およびＷＴＲＵ１０８に対するバインディング登録を開始することを担うことが可能である。ＷＴＲＵ１０８は、ＩＰ対応型ノード（例えば、ＩＰｖ４専用ノード、ＩＰｖ６専用ノード、またはデュアルスタックノード）であることが可能である。
【００１７】
ＷＴＲＵのホームネットワークプレフィックス（ＷＴＲＵ−ＨＮＰ）１１０は、ＷＴＲＵ１０８とＭＡＧ１０６の間のリンクに割り当てられたプレフィックスであり得る。複数のプレフィックスが、ＷＴＲＵ１０８とＭＡＧ１０６の間のリンクに割り当てられてもよい。プロキシ気付アドレス（Ｐｒｏｘｙ−ＣｏＡ）１１２は、ＭＡＧ１０６の出口インターフェース上に構成されたグローバルアドレスであることが可能であり、さらにＬＭＡ１０２とＭＡＧ１０６の間のトンネルのトランスポートエンドポイントであることが可能である。ＬＭＡアドレス（ＬＭＡＡ）１１４は、ＬＭＡ１０２のインターフェース上に構成されたグローバルアドレスであることが可能であり、さらにＬＭＡ１０２とＭＡＧ１０６の間に確立された双方向トンネルのトランスポートエンドポイントであることが可能である。ＩＰネットワーク１０４は、ＷＴＲＵ１０８のモビリティ管理がＩＰプロトコル（例えば、ＰＭＩＰｖ４、ＰＭＩＰｖ６、または他の任意のバージョン）を使用して扱われ得るネットワークを指すことが可能である。ＩＰネットワーク１０４は、ＬＭＡ１０２および／またはＭＡＧ１０６を含むことが可能であり、ＬＭＡ１０２および／またはＭＡＧ１０６の間でセキュリティ関連付けがセットアップされ得るとともに、ＷＴＲＵ１０８に代行してプロキシバインディングアップデートを送るための許可が確実にされ得る。
【００１８】
レイヤ３（Ｌ３）モビリティプロトコル（例えば、ＰＭＩＰ、セッション開始プロトコル（ＳＩＰ）など）が、ユニキャストトラフィックのために使用され得る。これらのＬ３モビリティプロトコルは、マルチキャストサービスのためのサポートを欠いている可能性がある。インターネットグループ管理プロトコル（ＩＧＭＰ）またはマルチキャストリスナ探索（ＭＬＤ：Multicast Listener Discovery）などのマルチキャストプロトコルは、ハンドオーバ後にマルチキャストサービスを再開することにつきものの待ち時間を短縮するように強化され得る。
【００１９】
マルチキャストマルチメディア（例えば、モバイルＴＶ、ラジオ、プレゼンス、マイクロブロギング、ファイル共有、ポッドキャスト、および／またはソーシャルネットワーキングなど）などのマルチキャストサービスのためのモビリティを可能にするシステム、方法、および装置が、本明細書で説明される。本明細書で説明される実施形態は、ＰＭＩＰのためのＬ３モビリティにおいて実施され得、さらにリンク層または物理層にかかわらず、様々なアクセス技術に適用され得る。ユニキャストおよび／またはマルチキャストが、伝送のために使用され得る。例えば、Ｌ３マルチキャストモビリティサポートと一緒に、より下位の層でマルチキャストを使用することが、全体的なシステム効率を向上させうる。本明細書で説明されるいくつかの代表的な実施形態は、より下位の層におけるマルチキャスト伝送を可能にすることができる。例えば、マルチメディア放送／マルチキャスト型サービス（ＭＢＭＳ）が、ＬＴＥ（登録商標）（Long Term Evolution）において使用され得、かつ／または物理マルチキャストチャネル（ＰＭＣＨ）、マルチキャスト制御チャネル（ＭＣＣＨ）、およびマルチキャストトラフィックチャネル（ＭＴＣＨ）が、マルチキャストデータを伝送するのに使用され得る。
【００２０】
図２Ａは、開示される１または複数の実施形態が実施され得る例示的な通信システム２００の図である。通信システム２００は、複数の無線ユーザに音声、データ、ビデオ、メッセージング、ブロードキャストなどのコンテンツを提供することが可能な多元接続システムであることが可能である。通信システム２００は、無線帯域幅を含むシステムリソースの共有を介して、そのようなコンテンツに複数の無線ユーザがアクセスすることを可能にすることができる。例えば、通信システム２００は、ＣＤＭＡ、ＴＤＭＡ、ＦＤＭＡ、直交ＦＤＭＡ（ＯＦＤＭＡ）、シングルキャリアＦＤＭＡ（ＳＣ−ＦＤＭＡ）などの１または複数のチャネルアクセス方法を使用することができる。
【００２１】
図２Ａに示されるように、通信システム２００は、無線送受信ユニット（ＷＴＲＵ）１０８ａ、１０８ｂ、１０８ｃ、１０８ｄと、無線アクセスネットワーク（ＲＡＮ）２０４と、コアネットワーク２０６と、公衆交換電話網（ＰＳＴＮ）２０８と、インターネット２１０と、他のネットワーク２１２とを含むことが可能であり、ただし、説明される実施形態は、任意の数のＷＴＲＵ、基地局、ネットワークおよび／またはネットワーク要素を企図している。ＷＴＲＵ１０８ａ、１０８ｂ、１０８ｃおよび１０８ｄのそれぞれは、無線環境において動作し、かつ／または通信するように構成された任意のタイプのデバイスであることが可能である。例えば、ＷＴＲＵ１０８ａ、１０８ｂ、１０８ｃ、１０８ｄは、無線信号を送信するように、かつ／または受信するように構成され得、かつＷＴＲＵ１０８ａ、１０８ｂ、１０８ｃ、１０８ｄには、ＵＥ、移動局、モバイルノード、固定もしくはモバイルの加入者ユニット、ページャー、セルラ電話機、携帯情報端末（ＰＤＡ）、スマートフォン、ラップトップ、ネットブック、パーソナルコンピュータ、タブレット、無線センサ、および／または家庭用電子機器などが含まれ得る。
【００２２】
また、通信システム２００は、基地局２１４ａと、基地局２１４ｂとを含むことも可能である。基地局２１４ａ、２１４ｂのそれぞれは、コアネットワーク２０６、インターネット２１０および／またはネットワーク２１２などの１または複数の通信ネットワークに対するアクセスを円滑にするようにＷＴＲＵ１０８ａ、１０８ｂ、１０８ｃ、１０８ｄのうちの少なくとも１つとワイヤレスでインターフェースをとるように構成された任意のタイプのデバイスであることが可能である。例えば、基地局２１４ａ、２１４ｂは、基地局トランシーバ（ＢＴＳ）、ノードＢ、ｅノードＢ、ホームノードＢ、ホームｅノードＢ、サイトコントローラ、アクセスポイント（ＡＰ）、および／または無線ルータなどとすることができる。基地局２１４ａ、２１４ｂはそれぞれ単一の要素として図示されるが、基地局２１４ａ、２１４ｂは、任意の数の互いに接続された基地局および／またはネットワーク要素を含み得ることが企図される。
【００２３】
基地局２１４ａは、他の基地局、および／または基地局コントローラ（ＢＳＣ）、無線ネットワークコントローラ（ＲＮＣ）、中継ノードなどのネットワーク要素（図示せず）を含むことも可能なＲＡＮ２０４の一部であり得る。基地局２１４ａおよび／または基地局２１４ｂは、セル（図示せず）と呼ばれ得る特定の地理的区域内で無線信号を送信するように、かつ／または受信するように構成され得る。セルは、セルセクタにさらに分割できる。例えば、基地局２１４ａに関連付けられたセルが、３つのセクタに分割可能である。このため、いくつかの代表的な実施形態において、基地局２１４ａは、例えば、セルの各セクタにつき１つの、３つのトランシーバを含むことが可能である。いくつかの代表的な実施形態において、基地局２１４ａは、複数の多入力多出力（ＭＩＭＯ）技術を使用してもよく、したがって、セルの各セクタにつき複数のトランシーバを利用してもよい。
【００２４】
基地局２１４ａ、２１４ｂは、任意の適切な無線通信リンク（例えば、無線周波数（ＲＦ）、マイクロ波、赤外線（ＩＲ）、紫外線（ＵＶ）、可視光など）であることが可能なエアインターフェース２１６を介してＷＴＲＵ１０８ａ、１０８ｂ、１０８ｃ、１０８ｄのうちの１または複数と通信することが可能である。エアインターフェース２１６は、任意の適切な無線アクセス技術（ＲＡＴ）を使用して確立され得る。
【００２５】
前述した通り、通信システム２００は、多元接続システムであることが可能であり、さらに、とりわけ、ＣＤＭＡ、ＴＤＭＡ、ＦＤＭＡ、ＯＦＤＭＡおよび／またはＳＣ−ＦＤＭＡなどの１または複数のチャネルアクセススキームを使用することができる。例えば、ＲＡＮ２０４における基地局２１４ａ、およびＷＴＲＵ１０８ａ、１０８ｂ、１０８ｃが、広帯域ＣＤＭＡ（Ｗ−ＣＤＭＡ）を使用してエアインターフェース２１６を確立することが可能な、ＵＭＴＳ（Universal Mobile Telecommunications System）地上無線アクセス（ＵＴＲＡ）などの無線技術を実施することができる。Ｗ−ＣＤＭＡは、高速パケットアクセス（ＨＳＰＡ）および／または発展型ＨＳＰＡ（ＨＳＰＡ＋）などの通信プロトコルを含み得る。ＨＳＰＡは、高速ダウンリンクパケットアクセス（ＨＳＤＰＡ）および／または高速アップリンクパケットアクセス（ＨＳＵＰＡ）を含み得る。
【００２６】
いくつかの代表的な実施形態において、基地局２１４ａおよびＷＴＲＵ１０８ａ、１０８ｂ、１０８ｃは、ＬＴＥおよび／またはＬＴＥ−Ａｄｖａｎｃｅｄ（ＬＴＥ−Ａ）を使用してエアインターフェース２１６を確立することが可能な、発展型ＵＭＴＳ地上無線アクセス（Ｅ−ＵＴＲＡ）などの無線技術を実施することができる。
【００２７】
いくつかの代表的な実施形態において、基地局２１４ａおよび／またはＷＴＲＵ１０８ａ、１０８ｂ、１０８ｃは、ＩＥＥＥ８０２．１６（例えば、ＷｉＭＡＸ（Worldwide Interoperability for Microwave Access））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準Ｓ５６（ＩＳ−Ｓ５６）、ＧＳＭ（登録商標）（Global System for Mobile Communications）、および／またはＥＤＧＥ（Enhanced Data rates for GSM Evolution）、および／またはＧＳＭ  ＥＤＧＥ（ＧＥＲＡＮ）などの無線技術を実施することができる。
【００２８】
図２Ａにおける基地局２１４ｂは、例えば、無線ルータ、ホームノードＢ、ホームｅノードＢ、および／またはアクセスポイントであることが可能であり、かつ職場、自宅、車両、および／またはキャンパスなどの局所化された区域内で無線接続を円滑にするために任意の適切なＲＡＴを利用することができる。いくつかの代表的な実施形態において、基地局２１４ｂおよびＷＴＲＵ１０８ｃ、１０８ｄは、ＩＥＥＥ８０２．１１などの無線技術を実施して無線ローカルエリアネットワーク（ＷＬＡＮ）を確立することができる。他の実施形態において、基地局２１４ｂおよび／またはＷＴＲＵ１０８ｃ、１０８ｄは、ＩＥＥＥ８０２．１５などの無線技術を実施して無線パーソナルエリアネットワーク（ＷＰＡＮ）を確立することができる。さらに他の実施形態において、基地局２１４ｂおよび／またはＷＴＲＵ１０８ｃ、１０８ｄは、セルラベースのＲＡＴ（例えば、Ｗ−ＣＤＭＡ、ＣＤＭＡ２０００、ＧＳＭ、ＬＴＥ、ＬＴＥ−Ａなど）を利用してピコセルまたはフェムトセルを確立することができる。図２Ａに示されるように、基地局２１４ｂは、インターネット２１０に対する直接接続を有しうる。基地局２１４ｂは、コアネットワーク２０６を介してインターネット２１０にアクセスするのには使用されない可能性がある。
【００２９】
ＲＡＮ２０４は、ＷＴＲＵ１０８ａ、１０８ｂ、１０８ｃ、１０８ｄのうちの１または複数に音声、データ、アプリケーションおよび／またはＶｏＩＰ（Voice over Internet Protocol）サービスを提供するように構成された任意のタイプのネットワークであり得るコアネットワーク２０６と通信状態にあることが可能である。例えば、コアネットワーク２０６は、呼制御、課金サービス、モバイル位置情報サービス、プリペイド通話、インターネット接続、および／またはビデオ配信などを提供することが可能であり、かつ／または、例えば、ユーザ認証などの高レベルのセキュリティ機能を実行することができる。
【００３０】
図２Ａには示されないものの、ＲＡＮ２０４および／またはコアネットワーク２０６は、ＲＡＮ２０４と同一のＲＡＴ、または異なるＲＡＴを使用する他のＲＡＮと直接または間接の通信状態にあることが可能である。例えば、Ｅ−ＵＴＲＡ無線技術を利用することが可能なＲＡＮ２０４に接続されていることに加えて、コアネットワーク２０６は、ＧＳＭ無線技術を使用する別のＲＡＮ（図示せず）と通信状態にあることも可能である。
【００３１】
また、コアネットワーク２０６は、ＷＴＲＵ１０８ａ、１０８ｂ、１０８ｃ、１０８ｄがＰＳＴＮ２０８、インターネット２１０および／または他のネットワーク２１２にアクセスするゲートウェイの役割をすることもできる。ＰＳＴＮ２０８は、普通の従来の電話サービス（ＰＯＴＳ）を提供することが可能な回線交換電話網を含みうる。インターネット２１０は、ＴＣＰ／ＩＰインターネットプロトコルスイートにおけるＴＣＰ、ＵＤＰおよびＩＰなどの一般的な通信プロトコルを使用する相互接続されたコンピュータネットワークおよびコンピュータデバイスの地球規模のシステムを含みうる。ネットワーク２１２は、他のサービスプロバイダによって所有され、かつ／または運用される有線または無線の通信ネットワークを含みうる。例えば、ネットワーク２１２は、ＲＡＮ２０４と同一のＲＡＴ、または異なるＲＡＴを使用することが可能な１または複数のＲＡＮに接続された別のコアネットワークを含むことができる。
【００３２】
通信システム２００におけるＷＴＲＵ１０８ａ、１０８ｂ、１０８ｃ、１０８ｄのうちのいくつか、または全ては、マルチモード能力を含むことができ、例えば、ＷＴＲＵ１０８ａ、１０８ｂ、１０８ｃ、１０８ｄは、様々な無線リンクを介して様々な無線ネットワークと通信するために複数のトランシーバを含むことができる。例えば、図２Ａに示されるＷＴＲＵ１０８ｃが、セルラベースの無線技術を使用可能な基地局２１４ａ、およびＩＥＥＥ８０２無線技術を使用可能な基地局２１４ｂと通信するように構成され得る。
【００３３】
図２Ｂは、例示的なＷＴＲＵ１０８のシステム図である。図２Ｂに示されるように、ＷＴＲＵ１０８は、プロセッサ２１８、トランシーバ２２０、送信／受信要素２２２、スピーカ／マイクロフォン２２４、キーパッド２２６、ディスプレイ／タッチパッド２２８、非リムーバブルメモリ２３０、リムーバブルメモリ２３２、電源２３４、ＧＰＳチップセット２３６および／または他の周辺装置２３８を含むことができる。ＷＴＲＵ１０８は、実施形態と合致したままでありながら、前述の要素の任意の部分的組み合わせを含むことができる。
【００３４】
プロセッサ２１８は、汎用プロセッサ、専用プロセッサ、従来のプロセッサ、デジタルシグナルプロセッサ（ＤＳＰ）、複数のマイクロプロセッサ、ＤＳＰコアに関連する１または複数のマイクロプロセッサ、コントローラ、マイクロコントローラ、ＡＳＩＣ、ＦＰＧＡ回路、他の任意のタイプの集積回路（ＩＣ）および／または状態マシンなどであることが可能である。プロセッサ２１８は、ＷＴＲＵ１０８が無線環境において動作することを可能にする信号符号化、データ処理、電力制御、入出力処理および／または他の任意の機能を実行することができる。プロセッサ２１８は、送信／受信要素２２２に結合可能なトランシーバ２２０に結合され得る。図２Ｂは、プロセッサ２１８とトランシーバ２２０を別々の構成要素として示すが、プロセッサ２１８とトランシーバ２２０は、電子パッケージまたは電子チップの中に一緒に組み込まれてもよい。
【００３５】
送信／受信要素２２２は、エアインターフェース２１６を介して基地局（例えば、基地局２１４ａ）に信号を送信するように、かつ／または基地局（例えば、基地局２１４ａ）から信号を受信するように構成され得る。例えば、いくつかの実施形態において、送信／受信要素２２２は、ＲＦ信号を送信するように、かつ／または受信するように構成されたアンテナであることが可能である。他の実施形態において、送信／受信要素２２２は、例えば、ＩＲ信号、ＵＶ信号および／または可視光信号を送信するように、かつ／または受信するように構成されたエミッタ／検出器であることが可能である。さらに他の実施形態において、送信／受信要素２２２は、ＲＦ信号と光信号の両方を送信するように、かつ／または受信するように構成され得る。送信／受信要素２２２は、無線信号の任意の組み合わせを送信するように、かつ／または受信するように構成され得ることが企図される。
【００３６】
送信／受信要素２２２は、図２Ｂに単一の要素として示されるものの、ＷＴＲＵ１０８は、任意の数の送信／受信要素２２２を含むことができる。ＷＴＲＵ１０８は、ＭＩＭＯ技術を使用できる。このため、いくつかの実施形態において、ＷＴＲＵ１０８は、エアインターフェース２１６を介して無線信号を送受信するために２つ以上の送信／受信要素２２２（例えば、複数のアンテナ）を含むことができる。
【００３７】
トランシーバ２２０は、送信／受信要素２２２によって送信されるべき信号を変調するように、かつ送信／受信要素２２２によって受信された信号を復調するように構成され得る。前述したとおり、ＷＴＲＵ１０８は、マルチモード能力を有することができ、かつトランシーバ２２０は、ＷＴＲＵ１０８が、例えば、ＵＴＲＡおよび８０２．１１などの複数のＲＡＴを介して通信することを可能にする複数のトランシーバを含むことができる。
【００３８】
ＷＴＲＵ１０８のプロセッサ２１８は、スピーカ／マイクロフォン２２４、キーパッド２２６および／またはディスプレイ／タッチパッド２２８（例えば、液晶ディスプレイ（ＬＣＤ）ディスプレイユニットまたは有機発光ダイオード（ＯＬＥＤ）ディスプレイユニット）に結合可能であり、かつスピーカ／マイクロフォン２２４、キーパッド２２６および／またはディスプレイ／タッチパッド２２８からユーザ入力データを受け取ることができる。また、プロセッサ２１８は、スピーカ／マイクロフォン２２４、キーパッド２２６および／またはディスプレイ／タッチパッド２２８にユーザデータを出力することができる。プロセッサ２１８は、非リムーバブルメモリ２３０および／またはリムーバブルメモリ２３２などの任意のタイプの適切なメモリの情報にアクセスし、かつそのようなメモリの中にデータを格納することができる。非リムーバブルメモリ２３０には、ＲＡＭ、ＲＯＭ、ハードディスクまたは非一時的メモリを含む他の任意のタイプのメモリストレージデバイスが含まれ得る。リムーバブルメモリ２３２には、加入者ＩＤモジュール（ＳＩＭ）カード、メモリスティックおよび／またはセキュアデジタル（ＳＤ）メモリカードなどが含まれ得る。他の実施形態において、プロセッサ２１８は、サーバ上、またはホームコンピュータ（図示せず）上などの、ＷＴＲＵ１０８上に物理的に位置していないメモリの情報にアクセスし、かつそのようなメモリの中にデータを格納することができる。
【００３９】
プロセッサ２１８は、電源２３４から電力を受け取ることが可能であり、かつＷＴＲＵ１０８におけるその他の構成要素に配電するように、かつ／またはその他の構成要素に対する電力を制御するように構成され得る。電源２３４は、ＷＴＲＵ１０８に電力を供給する任意の適切なデバイスでありうる。例えば、電源２３４には、１または複数の乾電池（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池および／または燃料電池などが含まれ得る。
【００４０】
また、プロセッサ２１８は、ＷＴＲＵ１０８の現在位置に関する位置情報（例えば、経度および緯度）を供給するように構成され得るＧＰＳチップセット２３６に結合されてもよい。ＧＰＳチップセット２３６からの情報に加えて、またはそのような情報の代わりに、ＷＴＲＵ１０８は、基地局（例えば、基地局２１４ａ、２１４ｂ）からエアインターフェース２１６を介して位置情報を受信してもよく、かつ／または近くの２つ以上の基地局から受信される信号のタイミングに基づいてそれのロケーションを算出してもよい。ＷＴＲＵ１０８は、実施形態と合致したままでありながら、任意の適切な位置特定方法によって位置情報を獲得し得ることが企図される。
【００４１】
プロセッサ２１８は、さらなるフィーチャ、機能、および／または有線接続もしくは無線接続をもたらす１または複数のソフトウェアモジュールおよび／またはハードウェアモジュールを含むことが可能な他の周辺装置２３８にさらに結合され得る。例えば、周辺装置２３８には、加速度計、電子コンパス、衛星トランシーバ、デジタルカメラ（写真またはビデオのための）、ＵＳＢポート、振動デバイス、テレビトランシーバ、ハンズフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、および／またはインターネットブラウザなどが含まれ得る。
【００４２】
図２Ｃは、ＲＡＮ２０４およびコアネットワーク２０６のシステム図である。ＲＡＮ２０４は、ＩＥＥＥ８０２．１６無線技術を使用して、エアインターフェース２１６を介してＷＴＲＵ１０８ａ、１０８ｂおよび１０８ｃと通信可能なアクセスサービスネットワーク（ＡＳＮ）でありうる。後段でさらに説明されるように、ＷＴＲＵ１０８ａ、１０８ｂ、１０８ｃ、ＲＡＮ２０４、およびコアネットワークのこれらの様々な機能エンティティ間の通信リンクは、参照ポイントと定義され得る。
【００４３】
図２Ｃに示されるように、ＲＡＮ２０４は、基地局２４０ａ、２４０ｂ、２４０ｃおよびＡＳＮ（またはＰＤＮ）ゲートウェイ２４２を含みうるが、ＲＡＮ２０４は、実施形態と合致したままでありながら、任意の数の基地局およびＡＳＮ（またはＰＤＮ）ゲートウェイを含みうることが企図される。基地局２４０ａ、２４０ｂ、２４０ｃはそれぞれ、ＲＡＮ２０４における特定のセル（図示せず）に関連付けられることが可能であり、かつそれぞれ、エアインターフェース２１６を介してＷＴＲＵ１０８ａ、１０８ｂ、１０８ｃと通信するための１または複数のトランシーバを含むことができる。一実施形態において、基地局２４０ａ、２４０ｂ、２４０ｃは、ＭＩＭＯ技術を実施することができる。基地局２４０ａは、例えば、複数のアンテナを使用して、ＷＴＲＵ１０８ａに無線信号を送信し、かつＷＴＲＵ１０８ａから無線信号を受信することができる。また、基地局２４０ａ、２４０ｂ、２４０ｃは、ハンドオフトリガ、トンネル確立、無線リソース管理、トラフィック分類および／またはサービス品質（ＱｏＳ）ポリシー執行などのモビリティ管理機能を提供することもできる。ＡＳＮゲートウェイ２４２（または、例えば、ＬＴＥの場合、ＰＤＮゲートウェイ）は、トラフィック集約ポイントの役割をすることができ、かつページング、加入者プロファイルのキャッシングおよび／またはコアネットワーク２０６に対するルーティングなどの機能を担うことができる。
【００４４】
ＷＴＲＵ１０８ａ、１０８ｂ、１０８ｃとＲＡＮ２０４の間のエアインターフェース２１６は、ＩＥＥＥ８０２．１６標準を実施可能なＲ１参照ポイントと定義され得る。ＷＴＲＵ１０８ａ、１０８ｂ、および１０８ｃのそれぞれは、コアネットワーク２０６に対する論理インターフェース（図示せず）を確立することができる。ＷＴＲＵ１０８ａ、１０８ｂ、１０８ｃとコアネットワーク２０６の間の論理インターフェースは、認証、許可、ＩＰホスト構成管理および／またはモビリティ管理のために使用され得るＲ２参照ポイントと定義され得る。
【００４５】
基地局２４０ａ、２４０ｂおよび２４０ｃのそれぞれの間の通信リンクは、基地局間のＷＴＲＵハンドオーバおよびデータの転送を円滑にするためのプロトコルを含むＲ８参照ポイントと定義され得る。基地局２４０ａ、２４０ｂおよび２４０ｃとＡＳＮゲートウェイ２４２の間の通信リンクは、Ｒ６参照ポイントと定義され得る。Ｒ６参照ポイントは、ＷＴＲＵ１０８ａ、１０８ｂ、１０８ｃのそれぞれに関連するモビリティイベントに基づいてモビリティ管理を円滑にするためのプロトコルを含み得る。
【００４６】
図２Ｃに示されるように、ＲＡＮ２０４は、コアネットワーク２０６に接続され得る。ＲＡＮ２０４とコアネットワーク２０６の間の通信リンクは、例えば、データ転送およびモビリティ管理能力を円滑にするためのプロトコルを含むことが可能なＲ３参照ポイントと定義され得る。コアネットワーク２０６は、モバイルＩＰホームエージェント（ＭＩＰ−ＨＡ）２４４、認証−許可−アカウンティング（ＡＡＡ）サーバ２４６および／またはゲートウェイ２４８を含み得る。ＭＩＰ−ＨＡ２４４は、プロキシＭＩＰＨＡ（ＰＭＩＰ−ＨＡ）であることが可能である。前述の要素のそれぞれは、コアネットワーク２０６の一部として示されるが、これらの要素のうちの任意の要素が、コアネットワーク運用者以外のエンティティによって所有され、かつ／または運用されてもよいことが企図される。
【００４７】
ＭＩＰ−ＨＡ２４４は、ＩＰアドレス管理を担うことができ、かつＷＴＲＵ１０８ａ、１０８ｂおよび１０８ｃが異なるＡＳＮおよび／または異なるコアネットワークの間でローミングすることを可能にする。ＭＩＰ−ＨＡ２４４は、ＷＴＲＵ１０８ａ、１０８ｂ、１０８ｃにインターネット２１０などのパケット交換ネットワークへのアクセスを提供して、ＷＴＲＵ１０８ａ、１０８ｂ、１０８ｃとＩＰ対応型デバイスの間の通信を円滑にすることができる。ＡＡＡサーバ２４６は、ユーザ認証および／またはユーザサービスをサポートすることを担うことができる。ゲートウェイ２４８は、他のネットワークとの相互運用を円滑にすることができる。例えば、ゲートウェイ２４８は、ＷＴＲＵ１０８ａ、１０８ｂ、１０８ｃにＰＳＴＮ２０８などの回線交換ネットワークへのアクセスを提供して、ＷＴＲＵ１０８ａ、１０８ｂ、１０８ｃと従来の陸線通信デバイスの間の通信を円滑にすることができる。ゲートウェイ２４８は、ＷＴＲＵ１０８ａ、１０８ｂ、１０８ｃに、他のサービスプロバイダによって所有され、かつ／または運用可能な他の有線または無線のネットワークを含み得るネットワーク２１２へのアクセスを提供することができる。
【００４８】
図２Ｃには示されないものの、ＲＡＮ２０４は他のＡＳＮに接続可能であり、かつコアネットワーク２０６は、他のコアネットワークに接続可能であることが企図される。ＲＡＮ２０４とそれらの他のＡＳＮの間の通信リンクは、ＲＡＮ２０４とそれらの他のＡＳＮの間でＷＴＲＵ１０８ａ、１０８ｂ、１０８ｃのモビリティを協調させるためのプロトコルを含み得るＲ４参照ポイントと定義され得る。コアネットワーク２０６とそれらの他のコアネットワークの間の通信リンクは、ホームコアネットワークと移動先コアネットワークの間の相互運用を円滑にするプロトコルを含み得るＲ５参照ポイントと定義され得る。
【００４９】
図２Ｄは、ＷＴＲＵ１０８と、ｅＮＢ２４０と、モビリティ管理エンティティ（ＭＭＥ）／サービングゲートウェイ（Ｓ−ＧＷ）１４２とを備える例示的なブロック図２５０である。図２Ｄに示されるように、ＷＴＲＵ１０８、ｅＮＢ２４０およびＭＭＥ／Ｓ−ＧＷ１４２は、マルチキャストモビリティを実行するように構成され得る。
【００５０】
ＷＴＲＵ１０８は、オプションの結合されたメモリ３２２、少なくとも１つのトランシーバ３１４、オプションのバッテリ３２０および／またはアンテナ３１８を有するプロセッサ３１６を含むことが可能である。プロセッサ３１６は、マルチキャストモビリティの実施を実行するように構成され得る。
【００５１】
トランシーバ３１４は、無線通信の送信および／または受信を円滑にするようにプロセッサ３１６およびアンテナ３１８と通信状態にある。ＷＴＲＵ１０８においてバッテリ３２０が使用され得る場合、バッテリ３２０は、トランシーバ３１４および／またはプロセッサ３１６に電力を供給することができる。
【００５２】
ｅＮＢ２４０は、結合されたメモリ３１５と、トランシーバ３１９と、アンテナ３２１とを有するプロセッサ３１７を含むことができる。プロセッサ３１７は、マルチキャストモビリティの実施を実行するように構成され得る。
【００５３】
トランシーバ３１９は、無線通信の送信および／または受信を円滑にするようにプロセッサ３１７およびアンテナ３２１と通信状態にあることが可能である。ｅＮＢ２４０は、結合されたメモリ３３４を有するプロセッサ３３３を含み得るＭＭＥ／Ｓ−ＧＷ１４２に接続可能である。
【００５４】
図３は、ＰＭＩＰマルチキャストトンネルアグリゲーションのアーキテクチャを示す。図３を参照すると、ＰＭＩＰトンネルが、マルチキャストＷＴＲＵ（例えば、マルチキャストグループ１  ３４０およびマルチキャストグループ２  ３５０）のために集約され得る。プロキシバインディングアップデート（ＰＢＵ）メッセージを使用する場合、可変長のマルチキャストオプションフィールド（例えば、一部分またはセグメント）がＰＢＵメッセージ内に実装され得る。ＰＢＵは、ＷＴＲＵ３４０、３５０、または３６０の所定のインターフェースに割り当てられたＷＴＲＵのＨＮＰとＷＴＲＵの現在のＣｏＡ（例えば、プロキシＣｏＡ）の間でバインディングを確立するためにＭＡＧ３８０によってＷＴＲＵのそれぞれのＬＭＡに送信される要求メッセージであってよい。ＷＴＲＵのそれぞれのＬＭＡは、ユニキャストサービス３１０に接続されても、マルチキャストサービス３２０に接続されてもよい。マルチキャストオプションフィールドは、マルチキャストＣｏＡを含み得る。特定のマルチキャストＣｏＡは、ＭＡＧ３８０に終端する集約されたマルチキャストトンネル３３２または３３４に関連付け可能である。代替として、マルチキャストフラグが、ＰＢＵメッセージ内に実装され得、かつ／または別のメッセージが、マルチキャスト情報をシグナルするのに使用され得る。
【００５５】
マルチキャスト集約トンネル３３２および３３４は、事前構成され得る。例えば、マルチキャスト集約トンネル３３２および３３４は、例えば、任意のＷＴＲＵ３４０、３５０、または３６０がマルチキャストサービスにサブスクライブするのにも先立って、ＬＭＡ（ホームエージェント）３７０とＭＡＧ３８０の間にあらかじめ存在していてもよい。ＬＭＡ３７０およびＭＡＧ３８０は、ＬＭＡ３７０およびＭＡＧ３８０がともに、本明細書で説明されるメッセージを使用してマルチキャストサービスをサポートすることを示す情報を交換することができる。マルチキャストＷＴＲＵ３４０および３５０は、ＷＴＲＵ３４０および３５０がモバイルネットワーク３３０に接続された時点でトンネルに追加可能である。
【００５６】
代替として、マルチキャスト集約トンネル３３２および３３４は、動的であってもよい。マルチキャスト集約トンネルは、任意のマルチキャストサービスが使用される前に存在していないこともある。複数のＷＴＲＵ３６０がマルチキャストサービスのためにユニキャストトンネル３３６を確立すると、ＬＭＡ３７０およびＭＡＧ３８０が、これらのユニキャストトンネル３３６を組み合わせて、集約されたマルチキャストトンネル３３２または３３４にすることができる。
【００５７】
ＷＴＲＵ３４０、３５０、３６０は、ＭＡＧ３８０に対してマルチキャストサービスを求める要求をいくつかの様態で示すことができる。例えば、ＷＴＲＵ３４０、３５０、３６０は、ＭＬＤ／ＩＧＭＰメッセージを使用して、ＭＡＧ３８０にマルチキャスト要求を示すことができ、またはＷＴＲＵ３４０、３５０、３６０は、ルータ要請メッセージの中にマルチキャスト情報を含めることができる。
【００５８】
ＬＭＡ３７０とＭＡＧ３８０はともに、マルチキャストサービスのための集約されたトンネルの確立を開始することができる。ＭＡＧ３８０からＬＭＡ３７０に対するトンネルアグリゲーションの開始のために、ＰＢＵメッセージが、マルチキャストオプションフィールドの中にフラグを追加することによってプロセスを開始するのに使用されてもよく、または別のメッセージが使用されてもよい。マルチキャスト情報は、ＬＭＡ３７０および／またはＭＡＧ３８０において格納され得る。そのようなマルチキャスト関連の情報は、マルチキャストチャネル、各マルチキャストサービスにサブスクライブされているＷＴＲＵ、および／または各ＷＴＲＵのそれぞれのネットワーク接続であることが可能である。
【００５９】
マルチキャストトンネルは、ダウンリンク（例えば、ダウンリンク専用の）トラフィックのための一方向であっても、または双方向であってもよい（例えば、アップリンク通信およびダウンリンク通信）。マルチキャストリスナ探索（ＭＬＤ）／ＩＧＭＰメッセージなどの制御情報が、ユニキャストトンネル経由で、または集約されたマルチキャストトンネル経由で送信され得る。マルチキャストサービスおよびユニキャストサービスに関して、集約されたマルチキャストトンネルおよびユニキャストトンネルは、ＬＭＡ３７０とＭＡＧ３８０の間に並存することができる。また、ユニキャストトンネルを有するＷＴＲＵ３６０が、マルチキャストＣｏＡに関連付けられ得る。例えば、ＷＴＲＵは、ユニキャストトンネル３３６と、集約されたマルチキャストトンネル３３２、３３４とを有することができる。
【００６０】
さらに、１または複数のマルチキャストトンネルが存在することが可能である。当該オプションには、１つのマルチキャストＣｏＡを有する１つのマルチキャストトンネルが全てのマルチキャストサービスに応対すること、複数のマルチキャストトンネルが異なる別々のサービスを提供すること、またはそのようなオプションの組み合わせが含まれ得る。ＭＡＧ３８０は、マルチキャストサービスがサポートされるかどうか、かつ／または利用可能であるかどうかを示す（例えば、ルータ告知メッセージの中で）ことができる。
【００６１】
図４は、ＬＭＡ４７０がユニキャストサービス４１０に専用であり得、かつ／またはＬＭＡ４８０がマルチキャストサービス４２０に専用であり得る専用のマルチキャストＬＭＡアーキテクチャ４００を示す。複数のＬＭＡ４７０および４８０が、例えば、それぞれのネットワーク展開に依存して、各タイプのサービスのために使用され得る。
【００６２】
ＷＴＲＵ４６０は、複数のインターフェースを有することができる。ＷＴＲＵ４６０は、これらの複数のインターフェースを使用して、ユニキャストＬＭＡ４７０とユニキャスト接続４３２、４３６を確立することができ、かつ／またはマルチキャストＬＭＡ４８０とマルチキャストトンネル４３４、４３８をそれぞれ（例えば、並行して）確立することができる。ＷＴＲＵ４６０は、複数のホームエージェント（ＨＡ）を有することができる。このアーキテクチャにおいて、ＬＭＡの分割は、使用される特定のサービスに基づくことができる。ＷＴＲＵ４６０は、Ｐ−ＭＡＧ４４０からＮ−ＭＡＧ４５０に移ることができる。
【００６３】
図５Ａおよび図５Ｂは、図４に例示される専用のマルチキャストサービスの流れ図を示す。図５Ａおよび図５Ｂを参照して、これらのマルチキャストサービスに関する詳細を説明する。例示的な実施形態が、図５Ａおよび図５Ｂに示されるが、そこでは、ＩＰアドレス割当てが、マルチキャストサービスをサポートするのに使用され得る。
【００６４】
図５Ａに示されるように、符号５１０で、１つのセットのＩＰアドレスが、ユニキャストのためのＬＭＡ  ＨＡ４７０からＷＴＲＵ４６０に割り当てられ、かつ／または受信され得る。符号５１５で、これらのＩＰアドレスが、ＷＴＲＵ４６０によってユニキャストサービス４１０および／またはマルチキャストサービス４２０のために使用され得る。ＷＴＲＵ４６０は、符号５２０で、ルータ要請メッセージをサービングＭＡＧ（例えば、Ｐ−ＭＡＧ４４０および／またはＮ−ＭＡＧ４５０）に送信できるが、このルータ要請メッセージは、サービングＭＡＧからユニキャストＬＭＡ４７０に対するＰＢＵメッセージをトリガすることができる。
【００６５】
図５Ｂに示されるように、符号５２５で複数の（例えば、２つの）セットのＩＰアドレスがＷＴＲＵ４６０に割り当てられてもよい。例えば、符号５３０で示されるように、１つのセットのＩＰアドレスが、ユニキャスト４１０のためにユニキャストＬＭＡ  ＨＡ４７０から割り当てられてもよい一方で、異なるセットのＩＰアドレスが、マルチキャスト４２０のためにマルチキャストＬＭＡ  ＨＡ４８０から割り当てられてもよい。ＷＴＲＵ４６０は、符号５３５でサービングＭＡＧ（例えば、Ｐ−ＭＡＧ４４０および／またはＮ−ＭＡＧ４５０）にルータ要請メッセージを送信することができる。このルータ要請メッセージは、複数の（例えば、２つの）ＰＢＵメッセージをトリガすることができる。例えば、サービングＭＡＧ（例えば、Ｐ−ＭＡＧ４４０および／またはＮ−ＭＡＧ４５０）からユニキャストＬＭＡ４７０に対する１または複数のメッセージがトリガされ得、かつマルチキャストＬＭＡ４８０に対する別の１または複数のメッセージがトリガされ得る。
【００６６】
例示的な実施形態によれば、ＷＴＲＵ４６０は、ユニキャストサービスを使用しない可能性がある。この実施形態において、ＷＴＲＵ４６０は、サービングＭＡＧ（例えば、Ｐ−ＭＡＧ４４０および／またはＮ−ＭＡＧ４５０）からマルチキャストＬＭＡ４８０に対するＰＢＵメッセージを介して、マルチキャストサービス４２０のためのＩＰアドレスをマルチキャストＬＭＡ４８０から受信することができる。
【００６７】
ＭＡＧ（例えば、Ｐ−ＭＡＧ４４０および／またはＮ−ＭＡＧ４５０）によって保持され得るバインディングアップデートリストが、ユニキャストトラフィックのためのユニキャストＬＭＡ４７０とマルチキャストトラフィックのためのマルチキャストＬＭＡ４８０の両方に対するＷＴＲＵ４６０のバインディングに関するエントリを有するように更新され得る。
【００６８】
マルチキャストトラフィック転送およびユニキャストトラフィック転送は、ＷＴＲＵ４６０と関係して受信されるユニキャストトラフィックとマルチキャストトラフィックを区別することによってＭＡＧ（例えば、Ｐ−ＭＡＧ４４０および／またはＮ−ＭＡＧ４５０）によって扱われることが可能である。ＭＡＧ（例えば、Ｐ−ＭＡＧ４４０および／またはＮ−ＭＡＧ４５０）は、送信元アドレスおよび／または宛先アドレスを調べることによって区別することができ得る。ＭＡＧ（例えば、Ｐ−ＭＡＧ４４０および／またはＮ−ＭＡＧ４５０）は、正しいインターフェース上でトラフィックを転送することができる。
【００６９】
例えば、図５Ａにおいて、アップリンクトラフィック（例えば、ＷＴＲＵ４６０からサービングＭＡＧに対する）が存在する場合、サービングＭＡＧ（例えば、Ｐ−ＭＡＧ４４０および／またはＮ−ＭＡＧ４５０）は、このアップリンクトラフィックがユニキャストトラフィックのためにユニキャストＬＭＡ４７０に転送され得るかどうか、および／またはマルチキャスト制御シグナリングのためにマルチキャストＬＭＡ４８０に転送され得るかどうかを判定することができる可能性がある。ダウンリンクトラフィックに関して、ＷＴＲＵ４６０においてインターフェース（例えば、１つのインターフェース）が存在する可能性があるので、サービングＭＡＧ（例えば、Ｐ−ＭＡＧ４４０および／またはＮ−ＭＡＧ４５０）は、ＷＴＲＵ４６０に対するユニキャストトンネルおよび／またはマルチキャストトンネルのためのトンネルのマッピングを有することができる。
【００７０】
図５Ｂにおける別の例として、ユニキャストサービス４１０およびマルチキャストサービス４２０に関して異なるＩＰアドレスが使用される場合、サービングＭＡＧ（例えば、Ｐ−ＭＡＧ４４０および／またはＮ−ＭＡＧ４５０）は、ＰＭＩＰマルチホーミング（multi-homing）におけるマッピングと同様にＷＴＲＵ４６０のインターフェースに対してトンネルをマッピングすることができる。ＰＭＩＰは、モバイルノードが、複数のインターフェースを介して同時のアクセスのためにＰＭＩＰ（例えば、ＰＭＩＰｖ４、ＰＭＩＰｖ６、または別のバージョン）ドメインに接続することを可能にし得る。モバイルノードが、複数のインターフェースを介して同時アクセスのためにＰＭＩＰ（例えば、ＰＭＩＰｖ４、ＰＭＩＰｖ６、または別のバージョン）ドメインに接続すると、ローカルモビリティアンカが、接続されたインターフェースのそれぞれにモビリティセッションを割り当てることができる。各モビリティセッションは、別個のバインディングキャッシュエントリの下で、および／またはそのセッション独自の寿命を有して管理され得る。マルチキャストサービスが存在し、かつユニキャストサービスが存在しない場合、サービングＭＡＧ（例えば、Ｐ−ＭＡＧ４４０および／またはＮ−ＭＡＧ４５０）は、ユニキャストトラフィックと同様にＷＴＲＵ４６０に対してマルチキャストトンネルをマップすることができる。
【００７１】
ポリシープロファイルは、ＷＴＲＵ４６０に関するユニキャスト実施および／またはマルチキャスト実施を決定するために使用され得る。ＷＴＲＵ４６０のポリシープロファイルは、ポリシーサーバの中に格納され得る。ポリシープロファイルは、ユニキャストのためのＬＭＡ（例えば、ＬＭＡ４７０）および／またはマルチキャストのためのＬＭＡ（例えば、ＬＭＡ４８０）のＩＰ（例えば、ＰＭＩＰｖ４、ＰＭＩＰｖ６、または他の任意のバージョン）アドレスを格納することによって更新され得る。この情報を使用して、ＷＴＲＵ４６０のサービングＭＡＧ（例えば、Ｐ−ＭＡＧ４４０および／またはＮ−ＭＡＧ４５０）は、マルチキャストＬＭＡアドレスを獲得することができる可能性がある。
【００７２】
代替として、またはさらに、ＭＡＧ（例えば、Ｐ−ＭＡＧ４４０および／またはＮ−ＭＡＧ４５０）は、いくつかのマルチキャストグループ、および／またはマルチキャストオプションなどに１つまたは多数のＬＭＡアドレスをマップすることが可能なマルチキャストポリシープロファイルを保持することができる。ＭＡＧ（例えば、Ｐ−ＭＡＧ４４０および／またはＮ−ＭＡＧ４５０）は、複数のＬＭＡに接続され得ることが可能である。例えば、ＭＡＧ（例えば、Ｐ−ＭＡＧ４４０および／またはＮ−ＭＡＧ４５０）は、例えば、図５Ａに示されるＩＰアドレス割当てが使用される場合、ユニキャストＬＭＡに対する接続を有することが可能であり、かつマルチキャストＬＭＡに接続可能である。この事例において、ユニキャストＬＭＡ４７０に対する接続は、ユニキャストＬＭＡ４７０がＷＴＲＵのＩＰアドレスが割り当てられてもよい場所であり得るため、使用されても、使用されなくてもよい。ＭＡＧ（例えば、Ｐ−ＭＡＧ４４０および／またはＮ−ＭＡＧ４５０）は、図５Ｂで説明されるＩＰアドレス割当てが使用される場合、ユニキャストＬＭＡ４７０に対する接続を有することも、マルチキャストＬＭＡ４８０に対する接続を有することも可能である。この例において、ＷＴＲＵ４６０のＩＰアドレスは、使用されるサービスのタイプ（ユニキャストまたはマルチキャスト）に依存して、ＬＭＡ４７０、４８０のいずれかから割り当てられてもよい。
【００７３】
図６は、ＰＭＩＰ  ＬＭＡ内マルチキャストモビリティ有効化のアーキテクチャ６００を示す。図６に示される実施形態は、図３に示される実施形態と同様であり得る。図６に示される実施形態において、ＷＴＲＵ（例えば、ＷＴＲＵ６３０またはＷＴＲＵ６４０）の全て、またはいくつかが、それまでに接続されていたＭＡＧ（例えば、Ｐ−ＭＡＧ６１０）から新たに接続されるＭＡＧ（例えば、Ｎ−ＭＡＧ６２０）に移ることができる。目前に迫った（imminent）ハンドオーバ（ＨＯ）トリガが、ＷＴＲＵまたはネットワークから来ることが可能である。このＨＯは、より下位の層のシグナリング、例えば、低下した信号強度、および／または増加したパケットロスなどの結果として送信され得る。より下位の層のシグナリングの一例が、８０２．２１におけるＬｉｎｋ  Ｇｏｉｎｇ  Ｄｏｗｎメッセージであり得る。
【００７４】
図７Ａおよび図７Ｂは、図６に例示されるＬＭＡ内マルチキャストモビリティのためのネットワークのエンティティ間の通信の例示的な実施形態を示す。図７Ａおよび図７Ｂを参照すると、図７Ａが、ＰＭＩＰ  ＬＭＡ内マルチキャストモビリティのための通信パス７００を、図７ＢがＰＭＩＰ  ＬＭＡ内マルチキャストモビリティのための通信パス７５０をそれぞれ示す。図７Ａにおいて、ＬＭＡ６５０は、符号７１０で、Ｐ−ＭＡＧ６１０にマルチキャストパケットを送信することができる。Ｐ−ＭＡＧ６１０は、符号７１２で、ＷＴＲＵ６３０にマルチキャストパケットを送信することができる。ＷＴＲＵ６３０は、符号７１４で、目前に迫ったハンドオーバ（ＨＯ）についてＰ−ＭＡＧ６１０に通知することができる。Ｐ−ＭＡＧ６１０は、符号７１６で、Ｐ−ＭＡＧ６１０とＮ−ＭＡＧ６２０の間の新たなインターフェースＩＦ１を介して、マルチキャストＨＯについてＮ−ＭＡＧ６２０に通知することができる。代替として、またはさらに、目前に迫ったＨＯトリガおよびＩＦ１インターフェースは、ユニキャストサービスに適用されてもよい。Ｎ−ＭＡＧ６２０は、符号７１８で、集約されたトンネルを確立するためにＰＢＵメッセージをＬＭＡ６５０に送信することができる。マルチキャストＣｏＡを用いたマルチキャストオプションは、Ｎ−ＭＡＧ６２０によってＬＭＡ６５０に与えられうる。ＬＭＡ６５０は、符号７２０で、実際のＨＯに先立って、Ｎ−ＭＡＧ６２０にマルチキャストパケットを送信することができる。あらかじめ確立された集約されたトンネルに関連付けられていることが可能なＷＴＲＵ６３０は、符号７２２で、Ｎ−ＭＡＧ６２０に移ることが可能であり、さらに集約されたトンネルからマルチキャストパケットを受信することができる。ＬＭＡ６５０とＰ−ＭＡＧ６１０の間の集約されたトンネルが使用されていないという条件で、この集約されたトンネルは除去され得る。
【００７５】
図７Ｂに示されるように、ＬＭＡ６５０は、符号７５２で、Ｐ−ＭＡＧ６１０にマルチキャストパケットを送信することができる。Ｐ−ＭＡＧ６１０は、符号７５４で、ＷＴＲＵ６３０にマルチキャストパケットを送信することができる。符号７５６で、ＷＴＲＵ６３０は、目前に迫ったＨＯについてＰ−ＭＡＧ６１０に知らせることができる。Ｐ−ＭＡＧ６１０は、符号７５８で、ＬＭＡ６５０にＨＯ切迫情報を送ることができる。ＬＭＡ６５０は、符号７６０で、ＬＭＡ６５０とＮ−ＭＡＧ６２０の間で集約されたマルチキャストトンネルの確立を開始することができる。ＬＭＡ６５０は、符号７６２で、マルチキャストトンネルを確立するためにプロキシモバイルＩＰメッセージをＮ−ＭＡＧ６２０に送信することができる。ＬＭＡ６５０が受信された目前に迫ったＨＯについて認識しているという条件で、ＬＭＡ６５０は、符号７６０で、ＬＭＡ６５０とＮ−ＭＡＧ６２０の間で集約されたマルチキャストトンネルの確立を開始することができる。ＬＭＡ６５０は、符号７６４で、Ｎ−ＭＡＧ６２０にマルチキャストパケットを送信することができる。符号７６４で送信されるマルチキャストパケットは、例えば、実際のＨＯに先立って送信され得る。あらかじめ確立されている集約されたトンネルに関連付けられることが可能なＷＴＲＵ６３０は、符号７６６で、Ｎ−ＭＡＧ６２０に移ることができ、さらに集約されたトンネルからマルチキャストパケットを受信することができる。ＬＭＡ６５０とＰ−ＭＡＧ６１０の間の集約されたトンネルが使用されていないという条件で、この集約されたトンネルは除去され得る。
【００７６】
代替として、またはさらに、目前に迫ったＨＯトリガは、ネットワークから来ることも可能である。このトリガは、ネットワーク負荷分散の結果、またはメンテナンス目的（例えば、Ｐ−ＭＡＧ６１０がシャットダウンする）であることが可能である。このネットワークトリガは、例えば、ＬＭＡ６５０に、またはＰ−ＭＡＧ６１０に来ることが可能である。Ｐ−ＭＡＧ６１０が受信された目前に迫ったＨＯについて認識しているという条件で、Ｐ−ＭＡＧ６１０は、そのＨＯについてＬＭＡ６５０に直接に通知することができ、かつ／またはそのＨＯについてＮ−ＭＡＧ６２０に通知することができる。この実施形態は、ハンドオーバがＷＴＲＵによってトリガされ得る、図７Ａおよび図７Ｂに関連して前述した実施形態と同様に進められてよい。
【００７７】
代替として、集約されたトンネルの確立の後、ＬＭＡ６５０からＮ−ＭＡＧ６２０にマルチキャストトラフィックが送信され得る。Ｎ−ＭＡＧ６２０が、ネットワーク上でＷＴＲＵ６３０が検出された後、ＬＭＡ６５０にＰＢＵメッセージを送信することができる。しかし、このことは、トンネルがあらかじめ確立されていることが可能であり、その後、マルチキャストが開始され得る、本明細書で説明される他の実施形態と比べて、より長い遅延を生じさせる可能性がある。
【００７８】
別の代替的実施形態において、ＨＯに先立って、ターゲットとされるネットワーク上でマルチキャストグループ参加メッセージが送信され得る。図７Ａおよび図７Ｂで前述した通り、実際のＨＯに先立ってＮ−ＭＡＧ６２０によって獲得されたマルチキャスト情報は、ＷＴＲＵ６３０の接続に先立って、マルチキャストサービスのＮ−ＭＡＧ６２０による有効化を円滑にすることができる。ｎ−アクセスルータ（ｎ−ＡＲ）によって獲得されるマルチキャスト情報は、ＰＭＩＰが使用されないという条件付きで、実際のＨＯに先立って、ＷＴＲＵの接続に先立ってマルチキャストサービスのｎ−ＡＲ有効化を円滑にすることができる。
【００７９】
別の代替的実施形態において、ネットワークにおけるモビリティ管理エンティティは、目前に迫ったＨＯについて通知を受けることができる。モビリティ管理エンティティは、ターゲットとされるネットワーク上の適切なマルチキャストルータを用いて、ＷＴＲＵによってリッスンされるマルチキャストグループに加わってから、ＨＯをトリガすることができる。
【００８０】
別の代替形態は、Ｌ３  ＨＯの後、高速トリガマルチキャストグループ「参加」メッセージ（fast triggering multicast group ’join’ message）を利用することができる。ＨＯを制御するモビリティ管理エンティティは、ＨＯが完了するとすぐに、マルチキャストグループに参加するＭＬＤ／ＩＧＭＰレポートの送信をトリガすることができる。このことは、マルチキャストルータからのクエリを待つ代わりに、即時に行われてもよく、このため、マルチキャストサービスを再開するまでの遅延を短縮することができる。
【００８１】
本明細書で説明される実施形態は、独立に使用されても、または一緒に使用されてもよい。例えば、これらの実施形態のいくつかが一緒に使用され、かつＨＯに先立つマルチキャストグループ参加が機能しない可能性がある場合、ＨＯ後の高速トリガマルチキャストグループ参加メッセージが、サービス遅延を短縮することに成功する可能性がある。
【００８２】
図８は、ＰＭＩＰ  ＬＭＡ間マルチキャストモビリティ有効化のアーキテクチャ８００を示す。この実施形態において、ＷＴＲＵ７３０は、Ｐ−ＭＡＧ７１０からＮ−ＭＡＧ７２０に移ることができる。Ｐ−ＭＡＧ７１０とＮ−ＭＡＧ７２０は、異なるＬＭＡ（例えば、それぞれＬＭＡ７５０およびＬＭＡ７６０）に属することができる。各ＬＭＡ７５０および各ＬＭＡ７６０は、ユニキャストサービスおよび／またはマルチキャストサービスを提供することができる。単一のＬＭＡマルチキャストモビリティのための図６に示される方法は、使用されるマルチキャストサービスを有効にするようにターゲットＬＭＡ７５０および７６０に通知するために、さらなるインターフェースと併せて使用されうる。インターフェースＩＦ１は、ソースＭＡＧであるＰ−ＭＡＧ７１０とターゲットＭＡＧであるＮ−ＭＡＧ７２０の間のマルチキャスト情報交換のために使用され得る。インターフェースＩＦ２は、ソースＬＭＡであるＬＭＡ７５０とターゲットＬＭＡであるＬＭＡ７６０の間のマルチキャスト情報交換のために使用され得る。インターフェースＩＦ３は、ソースＭＡＧ７１０とターゲットＬＭＡ７６０の間のマルチキャスト情報交換のために使用され得る。インターフェースＩＦ４は、ソースＬＭＡ７５０とターゲットＭＡＧ７２０の間のマルチキャスト情報交換のために使用され得る。これらのインターフェースは、代替であることが可能であり、かつ同時に利用可能であっても、なくてもよい。
【００８３】
図９は、単一のタイプのネットワークをモビリティのためのハイブリッドネットワークに拡張可能なネットワーク９００を示す。図９を参照すると、ダウンリンク（例えば、ダウンリンク専用）マルチキャストネットワーク９２５と組み合わされた双方向モバイルネットワークが示されている。ハイブリッドネットワークにおいて、ＨＯは、双方向ネットワークからダウンリンク（例えば、ダウンリンク専用）マルチキャストネットワーク９２５に対して行われてもよい。第１の例において、ＨＯは、例えば、インターフェースＩＦ３およびインターフェースＩＦ４を使用して、ＷＴＲＵ９３０によってトリガされるものであることが可能である。ＷＴＲＵ９３０におけるモビリティクライアントエンティティ９３２は、目前に迫ったＨＯを検出することができる。モビリティクライアント９３２は、例えば、インターフェースＩＦ３を介してマルチキャストサービスエンティティ９３４（例えば、ＷＴＲＵにおけるＯＭＡ  ＢＣＡＳＴ機能９３４）に通知することができる。マルチキャストサービスエンティティ９３４は、ネットワーク９１５における対応するエンティティ９１６（例えば、ネットワークにおけるＯＭＡサービス適応／配信機能）に、例えば、インターフェースＩＦ４を介して目前に迫ったＨＯについて通知することが可能であり、かつ／またはダウンリンク（例えば、ダウンリンク専用）ネットワーク９２５におけるサービス配信を使用することが可能である。インターフェースＩＦ４は、ＯＭＡ  ＢＣＡＳＴ−５インターフェースであっても、または例えば、ＨＯ情報をサポートするのに使用され得る他の任意のインターフェースであってもよい。
【００８４】
別の例において、ＨＯは、インターフェースＩＦ１および／またはＩＦ２を使用して、ＷＴＲＵ９３０によってトリガされるものであってもよい。ＷＴＲＵ９３０におけるモビリティクライアントエンティティ９３２は、目前に迫ったＨＯを検出することができる。モバイルクライアントエンティティ９３２は、インターフェースＩＦ２を介して目前に迫ったＨＯについてネットワーク９１０におけるモビリティサーバ９１２（例えば、メディア独立ハンドオーバ（ＭＩＨ）サーバが、モビリティサーバの例であり得る）に通知することができる。インターフェースＩＦ２は、例えば、ＭＩＨプロトコルなどの、そのような情報の通信のために使用され得る任意のインターフェース、または他の類似したインターフェースであってもよい。モビリティサーバ９１２は、ユニキャストサービスネットワーク９１０内に、マルチキャストサービスネットワーク９１５内に、および／またはユニキャストネットワークおよび／またはマルチキャストネットワークとは異なるドメイン内に配置され得る。モビリティサーバ９１２は、目前に迫ったＨＯについてＯＭＡ  ＢＣＡＳＴサーバ９１６に通知することができ、さらにインターフェースＩＦ１を介してダウンリンク（例えば、ダウンリンク専用）ネットワーク９２５におけるサービス配信を使用することができる。インターフェースＩＦ１は、モビリティサーバ９１２とＯＭＡ  ＢＣＡＳＴサーバ９１６の間で情報を通信可能な任意のインターフェースであってもよい。
【００８５】
例示的な実施形態において、ネットワーク９２０は、インターフェースＩＦ１を使用してＨＯをトリガすることができる。この事例において、モビリティサーバ９１２は、インターフェースＩＦ１を介してＯＭＡ  ＢＣＡＳＴ９１６に通知することができる。別の例示的な実施形態において、ネットワーク９２０は、インターフェースＩＦ２、インターフェースＩＦ３、および／またはインターフェースＩＦ４を使用してＨＯをトリガすることができる。インターフェースＩＦ１が存在しないという条件で、モビリティサーバ９１２は、インターフェースＩＦ２を使用してモビリティクライアント９３２に通知することができる。モビリティクライアント９３２は、インターフェースＩＦ３を使用してＯＭＡ  ＢＣＡＳＴクライアント９３４に通知することができる。ＯＭＡ  ＢＣＡＳＴクライアント９３４は、インターフェースＩＦ４を使用してＯＭＡ  ＢＣＡＳＴサーバ９１６に通知することができる。別の例示的な実施形態において、モビリティは、配信ネットワークにおけるＭＡＧ９４０および／またはＬＭＡ９３５からサポートされ得る。
【００８６】
ＭＡＧ（例えば、ＡＲまたはＰＭＩＰ）９４０およびＬＭＡ（ゲートウェイ）９３５は、それぞれのモビリティ情報およびマルチキャストサービス情報を含め、複数のＷＴＲＵ９３０についての情報を獲得することができる。ＭＡＧ９４０および／またはＬＭＡ９３５は、マルチキャストサービスネットワーク９１５、またはマルチキャスト配信ネットワーク（例えば、ダウンリンク専用ネットワーク）９２５とインターフェースをとって、ＷＴＲＵ９３０がダウンリンク（例えば、ダウンリンク専用）マルチキャストネットワーク９２５に移った際にマルチキャストサービスのデリバリを確実にすることができる。
【００８７】
ＨＯは、ダウンリンク（例えば、ダウンリンク専用）マルチキャストネットワーク９２５から双方向ネットワーク９２０に対して行われてもよい。ネットワークがＨＯをトリガすることができる。ＷＴＲＵ９３０は、ダウンリンク制御情報の中でＨＯについて通知を受けることが可能である。目前に迫ったＨＯの表示（例えば、情報）は、例えば、ＩＦ１などの、ネットワーク側のインターフェースを介して双方向ネットワークに送られうる。代替として、ＷＴＲＵ９３０がＨＯをトリガしてもよい。アップリンク接続は、ＷＴＲＵ９３０が目前に迫ったＨＯについてネットワークに通知するために使用され得る。双方向ネットワーク９２０からダウンリンク（例えば、ダウンリンク専用）ネットワーク９２５へのＨＯに関して本明細書で説明されるインターフェースが、ＷＴＲＵ９３０からネットワークにＨＯ情報を送るのに使用され得る。例示的な実施形態によれば、ハイブリッドネットワークにおけるモビリティのための図９に関連する本明細書で説明される方法、例、および実施形態は、Ｌ３モビリティも、Ｌ２モビリティも使用しないことがあり、ＰＭＩＰは、使用されても、されなくてもよい。
【００８８】
ＩＰマルチキャストトラフィックオフロードは、本明細書で説明されるように管理され得る。例えば、いくつかのセッション確立シナリオ（例えば、ＰＢＵ／ＰＢＡを用いたＰＭＩＰｖ６、トンネルセットアップ、および／またはＭＮアドレス構成手順）において、ＭＮがネットワークに接続されると、ＭＡＧは、ＭＬＤクエリメッセージを送信することができる。ＭＬＤクエリメッセージには、例えば、ＭＬＤレポートを送信することによってＭＮによって応答が行われてもよい。ユーザがマルチキャストサービスにサブスクライブすることを所望する際（例えば、いつでも）、ＭＮはＭＬＤレポートを送信することができる。ＭＡＧは、マルチキャストグループにサブスクライブするために様々な手順を有しうる。例えば、ＭＡＧは、ＲＦＣ6224（「プロキシモバイルＩＰｖ６（ＰＭＩＰｖ６）ＬＭＡユニキャストにおけるマルチキャストリスナサポートのための基本展開」）などのＬＭＡユニキャストを用いたトンネル経由で、ＩＥＴＦ draft-zuniga-multimob-smspmip（「プロキシモバイルＩＰｖ６を使用するサポートマルチキャストサービス」）マルチキャストツリーモビリティアンカ（ＭＴＭＡ）などのＭＴＭＡを用いたトンネル経由で、および／またはＩＥＴＦ draft-sijeon-multimob-direct-routing-pmip6（「ネイティブインフラストラクチャを使用するＰＭＩＰｖ６マルチキャスティングサポート」）ローカルサブスクリプション／ルーティングなどのローカルサブスクリプション／ルーティングを介してマルチキャストグループにサブスクライブすることが可能である。
【００８９】
マルチキャストされるコンテンツは、様々な場所に配置され得る。例えば、コンテンツは、ローカルで利用可能であり（例えば、ＴＶチャネルが、移動先ドメインまたは移動先ネットワークにおいて提供され得る）、かつ／またはコンテンツは、遠隔で格納され得る（例えば、それらのＴＶチャネルが、ホームドメインまたはホームネットワークにおいて提供され得る）。コンテンツが遠隔で（例えば、ホームドメインまたは他の遠隔のサブスクリプションポイントにおいて）利用可能な事例において、サブスクリプションは、遠隔ネットワーク（例えば、ホームドメインまたは他の遠隔のサブスクリプションポイント）に対するトンネル経由で行われてもよい。コンテンツがローカルで利用可能である場合、サブスクリプションは、遠隔ネットワーク（例えば、ホームドメインまたは他の遠隔のサブスクリプションポイント）を介してではなく、ＭＡＧ（例えば、ローカルブレイクポイント）においてローカルで行われてもよい。ＭＡＧは、ＭＮによって要求されるコンテンツにアクセスするようにサブスクライブするのにとられるアプローチを選ばなければ（例えば、選択しなければ）ならない可能性がある。
【００９０】
マルチキャストグループアドレスがローカルである（例えば、範囲がローカルドメインである）場合、ＭＡＧは、ローカルサブスクリプション（またはＭＡＧがマルチキャストルータである場合、ルーティング）を介してマルチキャストグループに対するアクセスを得ることができる。マルチキャストグループアドレスがグローバルである（例えば、範囲がローカルドメインの範囲より大きい）場合、ＭＡＧは、例えば、本明細書で説明されるように、（１）静的な事前構成手順、および／または（２）動的な構成手順を使用して、実現され得る様々な利用可能な手順のなかから手順を決定しなければならない場合がある。いくつかの代表的な実施形態において、ＭＮは、コンテンツにサブスクライブすると、ＭＮの選好（preference）を示すことができる。この事例において、手順の解決は、少なくとも部分的にモバイルベース（例えば、通信事業者ベースと対比される）でありうる。
【００９１】
図１０は、ＬＭＡ１  １００６および／またはＭＴＭＡ１  １００８がユニキャスト１００２サービスおよび／またはマルチキャスト１００４サービス（例えば、トラフィック）のために使用され得るマルチキャストアーキテクチャを示す。ユニキャスト１００２サービスおよび／またはマルチキャスト１００４サービス（例えば、トラフィック）は、ＭＮ１  １０１８によってアクセスされるように、例えば、遠隔ドメイン（例えば、ホームドメイン）から移動先ドメイン１０３４に伝送され得る。移動先ドメイン１０３４は、例えば、そのようなサービスにアクセスするためにＭＮ１  １０１８が移動している先のＩＰドメイン（例えば、ＰＭＩＰｖ４、ＰＭＩＰｖ６、または別のバージョン）または他のネットワークであることが可能である。移動先ドメイン１０３４は、ＭＮ１  １０１８にユニキャスト１００２サービスおよび／またはマルチキャスト１００４サービスを提供する際に、その１または複数が実施され得る、ＬＭＡ１  １００６、ＭＴＭＡ１  １００８、ＭＡＧ１  １０１０、および／もしくはＭＡＧ２  １０１２を含むことが可能であり、またはＬＭＡ１  １００６、ＭＴＭＡ１  １００８、ＭＡＧ１  １０１０、および／もしくはＭＡＧ２  １０１２と通信状態にあることが可能である。
【００９２】
ＬＭＡ１  １００６は、遠隔ドメイン（例えば、ホームドメイン）からのユニキャスト１００２サービスにアクセスするために使用され得る。ＭＴＭＡ１  １００８は、遠隔ドメイン（例えば、ホームドメイン）からのマルチキャスト１００４サービスにアクセスするために使用され得る。例えば、ユニキャスト１００２トラフィックのためのデフォルトのパス１０３０が、ＬＭＡ１  １００６にルーティングされ得、かつ／またはマルチキャスト１００４トラフィックのためのデフォルトのパス１０３２が、ＭＴＭＡ１  １００８にルーティングされ得る。管理通信ネットワーク（ＭＣＮ）１０２０は、ＬＭＡ１  １００６および／またはＭＴＭＡ１  １００８を含むことが可能である。ＭＣＮは、管理プレーンと関係する分散型管理通信のためのレイヤ１（例えば、物理層）、レイヤ２（例えば、データリンク層）、および／またはレイヤ３（例えば、ネットワーク層）をサポートすることが可能なデータ通信ネットワーク（ＤＣＮ）であることが可能である。
【００９３】
ユニキャストトンネル１０２２（例えば、ＰＭＩＰｖ４トンネル、ＰＭＩＰｖ６トンネル、または別のバージョンのＩＰトンネル）が、ＬＭＡシグナリングおよびユニキャスト１００２トラフィックのためにＬＭＡ１  １００６とＭＡＧ１  １０１０の間で確立され得る。同様に、ユニキャストトンネル１０２４（例えば、ＰＭＩＰｖ４トンネル、ＰＭＩＰｖ６トンネル、または別のバージョンのＩＰトンネル）が、ＬＭＡシグナリングおよびユニキャスト１００２トラフィックのためにＬＭＡ１  １００６とＭＡＧ２  １０１２の間で確立され得る。マルチキャストトンネル１０２６が、マルチキャストトラフィックのためにＭＴＭＡ１  １００８とＭＡＧ１  １０１０の間で確立され得る。同様に、マルチキャストトンネル１０２８が、マルチキャストトラフィックのためにＭＴＭＡ１  １００８とＭＡＧ２  １０１２の間で確立され得る。
【００９４】
例示的な実施形態によれば、ＭＮ１  １０１８は、例えば、移動先ネットワーク１０３４などのネットワークに移動していることが可能であるとともに、ＭＡＧ１  １０１０によるサービスを受けていることが可能である。コンテンツは、マルチキャストサーバ（例えば、コンテンツサーバ）の中に、またはマルチキャストコンテンツネットワーク（例えば、コンテンツ配信ネットワーク）に格納されていることが可能である。格納されたコンテンツは、マルチキャスト手順を使用してＭＮ１  １０１８によって取出し可能である。マルチキャストコンテンツは、ローカルで（例えば、ローカルでアクセス可能なストレージから）獲得されても、かつ／または遠隔で（遠隔でアクセス可能なストレージから）獲得されてもよい。マルチキャストコンテンツのルーティングは、コンテンツがローカルで利用可能であるか、および／または遠隔で利用可能であるかに基づいて異なり得る。例えば、コンテンツは、それが、ＭＮ１  １０１８と同一の移動先ドメインまたは移動先ネットワーク（例えば、移動先ネットワーク１０３４）の中、同一のＭＡＧ（例えば、ＭＡＧ１  １０１０）によるサービスを受けるドメインまたはネットワークの中、および／またはコンテンツが、ＭＣＮ１０２０を通ることも、使用することもなしに、取出し可能であり得るドメインまたはネットワーク（例えば、移動先ネットワーク１０３４）の中に格納されている場合、ローカルで利用可能であり得る。例示的な実施形態において、ＭＡＧ１  １０１０は、ＭＣＮ１２２を通らないマルチキャストトラフィックに関して符号１０３４におけるローカルブレイクアウトを介してマルチキャスト１０１４サービス（例えば、インターネット様のトラフィック）を受信することができる。別の例示的な実施形態によれば、ＭＡＧ１  １０１０は、移動先ドメイン１０３４によって提供されるローカルで利用可能なコンテンツの符号１０３６におけるマルチキャストルーティングを介してマルチキャスト１０１６サービスをローカルで受信することができる。ローカルルーティングは、例えば、コンテンツ配信ネットワーク（ＣＤＮ）を使用して実行され得る。
【００９５】
本明細書で説明されるように、コンテンツは、コンテンツがＭＡＧ１  １０１０においてローカルでアクセスされ得るため、ＭＡＧ１  １０１０にローカルで利用可能である。符号１０３４および／または符号１０３６におけるローカルで利用可能なマルチキャストコンテンツのルーティングは、ローカルマルチキャストルータ１０３８を使用して実行され得る。このローカルマルチキャストルータは、移動先ドメイン１０３４に、またはローカルで利用可能な別のドメインに含められてもよい。さらに、このローカルマルチキャストルータの機能は、ＭＡＧ１  １０１０に含められてもよい。コンテンツがＭＡＧ１  １０１０にローカルで利用可能である場合、ローカルマルチキャストルータ１０３８は、ＭＮ１  １０１８にそのコンテンツを提供するためにＭＡＧ１  １０１０を相手に接続（例えば、直接接続）を確立することが可能である。ローカルで利用可能なマルチキャストルータ１０３８とＭＡＧ１  １０１０の間で直接接続を確立することによって、ＭＮ１  １０１８は、要求があると、ＭＡＧ１  １０１０経由でコンテンツを受信することができる。さらに、ＭＮ１  １０１８は、マルチキャストグループの一部であり得、およびマルチキャストグループの一部であり得る他の任意のモバイルノード（例えば、全てのモバイルノード）は、ＭＡＧ１  １０１０にコンテンツをローカルで要求し、およびＭＡＧ１  １０１０からコンテンツを受信することができる。
【００９６】
別の例によれば、コンテンツがＭＡＧ１  １０１０経由でローカルで利用可能ではない場合、またはコンテンツが、例えば、遠隔でアクセスされる場合、ＭＴＭＡ１  １００８（例えば、遠隔／ホームドメインにサービスを提供することが可能な）は、コンテンツを格納しているコンテンツサーバを相手に接続を確立することができ（例えば、遠隔で）、さらにマルチキャストチャネル１０２６を介してＭＡＧ１  １０１０にそのコンテンツをマルチキャストトラフィックとして供給することができる。コンテンツを要求するマルチキャストグループの一部であることが可能であり、かつＭＡＧ１  １０１０によるサービスを受けることが可能であるＭＮ１  １０１８および／または他の任意のモバイルノード（例えば、全てのモバイルノード）は、マルチキャストトンネル１０２６およびＭＡＧ１  １０１０経由でコンテンツを受信することができる。
【００９７】
マルチキャスト１００４コンテンツは、様々なＭＡＧに関連付けられた様々なＭＮおよび／または様々なＭＮのグループによってアクセスされ得る。例えば、ＭＴＭＡ１  １００８が、ＭＡＧ２  １０１２経由で別のＭＮおよび／または別のグループのＭＮ（図示せず）にマルチキャスト１００４コンテンツを供給することができる。ＭＡＧ２  １０１２は、マルチキャストチャネル１０２８を介してコンテンツを受信することができ、さらに本明細書で説明されるように、その他のＭＮにそのコンテンツを供給することができる。
【００９８】
コンテンツ（例えば、マルチキャスト１００４コンテンツおよび／またはユニキャスト１００２コンテンツ）は、様々なポリシーに従ってＭＮ１  １０１８に、および／またはＭＮ１  １０１８からルーティングされ得る。例えば、ＭＡＧ１  １０１０、ローカルマルチキャストルータ１０３８、および／または他のネットワークエンティティは、１または複数のマルチキャストポリシーに基づいて、ＭＮ１  １０１８にローカルで利用可能なマルチキャストコンテンツを供給すべきかどうかを判定するのに使用され得る。これらのマルチキャストポリシーは、例えば、事前構成されたポリシー（例えば、ＭＡＧ１  １０１０、ローカルマルチキャストルータ１０３８、および／または他のネットワークエンティティに静的に格納されている）、動作中に決定され、かつ／または格納された動的ポリシー、および／またはＭＮ１  １０１８からの表示に基づいて決定されたポリシーでありうる。例示的な実施形態によれば、事前構成されたポリシーは、製造の時点で決定され、かつ／または格納され得る一方で、動的ポリシーは、現場における実装後の処理中に決定され得る。別の例示的な実施形態によれば、これらの事前構成されたポリシーは、所与の接続に関する信号処理より前に決定され、かつ／またはそのような信号処理中に静的なままであることが可能である一方で、接続中に処理されている信号に基づいて動的なポリシーが決定され得る。
【００９９】
図１１は、マルチキャスト探索の例示的な実装形態を示す図である。例えば、このマルチキャスト探索は、静的な事前構成されたポリシーを使用して実行され得る。図１１に示される図は、例えば、図１０のマルチキャストアーキテクチャを使用して実施され得る。図１１に示されるように、ＭＡＧ１  １０１０が、マルチキャストコンテンツを扱うための手順を定義可能な事前構成されたポリシー／プロファイルを使用することができる。これらのポリシー／プロファイルは、ルーティング情報および／またはネットワーク管理基準を含むことができる。例えば、これらのポリシー／プロファイルは、ＭＮポリシー（例えば、ＭＮに基づくマルチキャストコンテンツの様々な伝送のための構成）、ユーザポリシー（例えば、ユーザに基づくマルチキャストコンテンツの様々な伝送のための構成）、ネットワーク通信事業者ポリシー（例えば、ネットワーク通信事業者によって事前定義されたマルチキャストコンテンツの様々な伝送のための構成）、トラフィックポリシーもしくはＩＰフローポリシー（例えば、トラフィックまたはＩＰフローの量に基づくマルチキャストコンテンツの様々な伝送のための構成）、および／または、例えば、コンテンツをルーティングするために実施され得る他のタイプのポリシーを含むことができる。これらのポリシーは、例えば、ローカルで利用可能なマルチキャストコンテンツが利用可能な場合に、そのようなコンテンツを使用することによって帯域幅を節約するように決定され、かつ／または実施され得る。
【０１００】
例示的な実施形態によれば、ユーザポリシーは、ユーザＸからのマルチキャストトラフィックが、遠隔／ホームネットワークを介して（例えば、ＭＴＭＡ１  １００８／ＬＭＡ１  １００６に対するトンネル経由で）伝送されるべきことを示すことが可能である一方で、ユーザＹからのトラフィックは、ローカルサブスクリプションを経由すべきことを示すことが可能である。別の例示的な実施形態によれば、ポリシーは、より複雑であることが可能であり、かつ／または複数のポリシー考慮事項を組み込むことができる。例えば、ポリシーが、ユーザＸからのタイプＡのトラフィックが遠隔／ホームネットワークを経由すべきこと、および／またはユーザＸからのタイプＢのトラフィックには、ローカルでサブスクリプションが行われるべきことを示すことが可能である。トラフィックおよび／またはＩＰフローのタイプは、とりわけ、マルチキャストアドレス、コンテンツの送信元、および送信元特定マルチキャスト（ＳＳＭ）のマルチキャストアドレスによって、および／または５タプル若しくは６タプルなどの、より複雑な選択子によって特徴付けできる。ＭＡＧには、一般的なプロトコル（とりわけ、例えば、ＷＳＤＬ／ＳＯＡＰ、ＸＭＬ、ＯＭＡデバイス管理／クライアントプロビジョニング、Ｄｉａｍｅｔｅｒ、および／またはＲＡＤＩＵＳ）の使用を介して、これらのポリシーが予めプロビジョニングされ得る。
【０１０１】
図１１を参照すると、ＭＮ１  １０１８が、符号１１０２で、移動先ドメイン１０３４のＭＡＧ１  １０１０経由で移動先ドメイン１０３４に登録／接続することができる。例えば、符号１１０２における接続は、ＭＡＧ１  １０１０とＭＮ１  １０１８の間に確立された通信層における接続（例えば、レイヤ２接続）であり得る。ＭＮ１  １０１８は、符号１１０４で（例えば、接続が確立された後）ＭＡＧ１  １０１０にルータ要請メッセージを送信することができる。符号１１０６で、ＭＡＧ１  １０１０は、ＬＭＡ１  １００６にプロキシバインディングアップデート（ＰＢＵ）メッセージを送信して、ＭＮ１  １０１８の現在のロケーションでＬＭＡ１  １００６を更新することができる。このＰＢＵメッセージは、例えば、ＭＮ１  １０１８および／またはＭＡＧ１  １０１０に対応するパラメータを含むことが可能である。符号１１０６におけるＰＢＵメッセージの受信に応答して、ＬＭＡ１  １００６は、符号１１０８でＭＡＧ１  １０１０に、ＭＮ１  １０１８のホームネットワークプレフィックスまたは複数のホームネットワークプレフィックスを含み得るプロキシバインディング確認応答（ＰＢＡ）メッセージを送信することが可能であり、バインディングキャッシュエントリを生成することが可能であり、かつ／または双方向ユニキャストトンネル１１１４（例えば、ＰＭＩＰｖ４トンネル、ＰＭＩＰｖ６トンネル、または別のバージョンのＩＰトンネルなどのＩＰトンネル）のＬＭＡ１  １００６側のエンドポイントをセットアップすることが可能である。ＭＡＧ１  １０１０は、例えば、符号１１０８でＰＢＡメッセージを受信した後、双方向ユニキャストトンネル１１１４のＭＡＧ１  １０１０側のエンドポイントをセットアップすることができる。ＭＡＧ１  １０１０は、ＭＮ１  １０１８のトラフィックのための転送をセットアップすることができる。ＭＡＧ１  １０１０は、符号１１１０でＭＮ１  １０１８にルータ告知メッセージを送信することができる。例えば、符号１１１０におけるルータ告知メッセージは、アクセスリンク上で送信され得る。ルータ告知メッセージは、例えば、ＭＮ１０１８の遠隔／ホームネットワークプレフィックスまたは複数の遠隔／ホームネットワークプレフィックスを、ホストされたオンリンクプレフィックスまたは複数のプレフィックスとして告知することが可能である。ＭＮ１  １０１８は、１１１０におけるルータ告知メッセージの中で示されるアクセスリンク上で許可されるモードを使用して、ＭＮ１  １０１８のインターフェースを構成しようと試みることができる。ＭＴＭＡ１  １００８が、符号１１１２でＩＰ動作を実行することができる。例えば、符号１１１２におけるＩＰ動作は、非特許文献１に記載されるＰＭＩＰｖ６動作を含むことが可能である。
【０１０２】
アドレス構成手順（例えば、図１１で符号１１０２〜１１１４から示される）から、ＭＮ１  １０１８は、それの遠隔／ホームネットワークプレフィックスからの１または複数のアドレスを有することが可能である。例えば、このアドレス構成から、ＭＮ１  １０１８は、現在の接続ポイントにおけるＭＮ１  １０１８の遠隔／ホームネットワークプレフィックスからの１または複数の有効なアドレスを有することが可能である。ＬＭＡ１  １００６は、他のノード（例えば、非ローカルノード）によってＭＮ１  １０１８に送信され得るパケットを受信することができる。ＬＭＡ１  １００６は、これらの受信されたパケットを、双方向ユニキャストトンネル１１１４（例えば、ＰＭＩＰｖ４トンネル、ＰＭＩＰｖ６トンネル、または別のバージョンのＩＰトンネルなどのＩＰトンネル）経由でＭＡＧ１に転送することができる。ＭＡＧ１  １０１０は、例えば、パケットを受信した後、外側のヘッダを除去し、かつ／またはパケットをＭＮ１  １０１８に（例えば、アクセスリンク上で）転送することができる。
【０１０３】
符号１１１６で、ＭＡＧ１  １０１０は、ＭＮ１  １０１８にマルチキャストリスナ探索（ＭＬＤ）クエリを送信して、ＭＮ１  １０１８に関連付けられた１または複数のマルチキャストグループを要求することができる。符号１１１６におけるＭＬＤクエリに応答して、ＭＮ１  １０１８は、符号１１１８でＭＬＤレポートを送信することができる。符号１１１８におけるＭＬＤレポートは、マルチキャストグループＧ１および／またはＧ２をＭＮ１  １０１８の関連付けられたマルチキャストグループとして識別する情報を含むことが可能である。ＭＡＧ１  １０１０は、符号１１１８でＭＮ１  １０１８からＭＬＤレポートを受信することができ、さらに事前構成された１または複数のポリシーに基づいて、ＭＮ１  １０１８にどのようにマルチキャストコンテンツを供給すべきかを決定することができる。例えば、それらの事前構成された１または複数のポリシーに基づいて、ＭＡＧ１  １０１０は、マルチキャストグループＧ１コンテンツがＭＴＭＡ１  １００８およびＭＡＧ１  １０１０経由で（例えば、遠隔／ホームネットワークにおける格納されたコンテンツから）供給されるべきこと、およびマルチキャストグループＧ２コンテンツがＭＡＧ１  １０１０およびローカルマルチキャストルータ１０３８経由で（例えば、ローカルで利用可能なコンテンツから）供給されるべきことを決定することができる。このため、ＭＡＧ１  １０１０は、符号１１２０ｂでＭＮ１  １０１８からＭＴＭＡ１  １００８にグループＧ１のＭＬＤレポートを送信することが可能であり、さらに符号１１２２でＭＮ１  １０１８からマルチキャストルータ１０１６にグループＧ２のＭＬＤレポートを送信することができる。
【０１０４】
図１０で前に示されたとおり、ＭＴＭＡ１  １００８およびＭＡＧ１  １０１０は、移動先ネットワークにおけるモバイルノードに（例えば、ＭＡＧ１  １０１０経由でＭＮ１  １０１８に）コンテンツをマルチキャストするようにマルチキャストトンネル１０２６をセットアップすることができる。また、ローカルマルチキャストルータ１０３８は、グループＧ２に関連付けられたコンテンツを、ＭＡＧ１  １０１０経由でマルチキャストすることもできる。しかし、ローカルで利用可能なコンテンツは、トンネリングされない可能性があり、かつ／またはＭＣＮを通らない可能性がある。図１１に示されるように、マルチキャストグループＧ１に関するＭＬＤレポートは、符号１１２０ａでＬＭＡ１  １００６に、および／または符号１１２０ｂでＭＴＭＡ１  １００８に送信され得る。例えば、ＭＡＧ１  １０１０は、１または複数のポリシー（例えば、所定のポリシー）に基づいて、この２つの選択肢からＭＴＭＡ１  １００８を選択することができる。代替として、ＬＭＡ１  １００６は、マルチキャストグループＧ１に関するＭＬＤレポートを受信するのに使用されてもよい（例えば、ＭＴＭＡ１  １００８の代わりに）。例えば、この事例において、グループＧ１のＭＬＤレポートは、符号１１２０ａで、マルチキャスト動作のためのアンカポイントの役割をすることが可能なＬＭＡ１  １００６に送信され得る。
【０１０５】
図１２は、様々なポリシーを使用するマルチキャスト探索の別の例示的な実装形態を示す図である。図１２に示されるように、ＭＡＧ１  １０１０は、マルチキャストトラフィックをどのように扱うべきかを示すポリシーを動的に獲得することができる。例えば、これらのポリシーは、移動先ドメイン１０３４に対してユーザが登録され、かつ／または認証されると、獲得され得る。
【０１０６】
図１２に示される通信のためのシグナリングは、帯域外シグナリングを含みうる。例えば、ＭＡＧ１  １０１０は、帯域外シグナリングを介して情報を動的に獲得する／受信することができる（例えば、図１１に示される事前構成された手順と同様に）。このシグナリングのいくつかの例には、とりわけ、オープンモバイルアライアンス（ＯＭＡ）デバイス管理（ＤＭ）を介するシグナリング／クライアントプロビジョニング（ＣＰ）プロトコルシグナリング、ＡＮＤＳＦ（Access network discovery and selection function）プロトコルシグナリング、Ｄｉａｍｅｔｅｒプロトコルシグナリング、および／またはＲＡＤＩＵＳプロトコルシグナリングが含まれ得る。ポリシー情報を動的に獲得するため／決定するための拡張（例えば、ＰＭＩＰｖ６／ＧＴＰ拡張）が実施され得る。例えば、ＭＡＧ１  １０１０は、ＬＭＡ１００６および／またはＭＴＭＡ１  １００８から、ＭＮ１  １０１８のマルチキャスト処理ポリシーに関するオプションを含み得る拡張されたＰＢＡを受信することができる。トラフィック記述のためのこのオプションは、例えば、ＭＮポリシー（例えば、ＭＮに基づくマルチキャストコンテンツの様々な伝送に関する構成）、ユーザポリシー（例えば、ユーザに基づくマルチキャストコンテンツの様々な伝送のための構成）、ネットワーク通信事業者ポリシー（例えば、ネットワーク通信事業者によって事前定義されたマルチキャストコンテンツの様々な伝送のための構成）、トラフィックポリシーもしくはＩＰフローポリシー（例えば、トラフィックもしくはＩＰフローの量に基づくマルチキャストコンテンツの様々な伝送のための構成）、および／または他のタイプのポリシーに対応することが可能である。ＰＢＡは、これらのパラメータに関連付けられた拡張フィールドを含み得る。ＰＢＡ拡張情報は、この手順が、例えば、ユニキャスト（例えば、ＰＭＩＰ／ＧＴＰ）登録中に実行され得るので、ＭＴＭＡの実装形態の場合にさえ、ＰＢＡシグナリングを使用して受信され得る。
【０１０７】
図１２を参照すると、ＭＮ１  １０１８は、符号１２０２で、移動先ネットワーク１０３４のＭＡＧ１  １０１０経由で移動先ネットワークに登録する／接続することができる。例えば、符号１２０２で、ＭＡＧ１  １０１０とＭＮ１  １０１８の間でレイヤ２接続が確立され得る。ＭＮ１  １０１８は、符号１２０４でルータ要請メッセージを送信することができる（例えば、レイヤ２接続が確立された後に）。ＭＡＧ１  １０１０は、符号１２０６で、例えば、ＭＮ１  １０１８の現在のロケーションでＬＭＡ１  １００６を更新するように、ＬＭＡ１  １００６にプロキシバインディングアップデート（ＰＢＵ）メッセージを送信することができる。符号１２０６におけるＰＢＵメッセージの受信に応答して、ＬＭＡ１  １００６は、符号１２０８でＭＡＧ１  １０１０にプロキシバインディング確認応答（ＰＢＡ）メッセージを送信することができる。符号１２０８におけるＰＢＡメッセージは、ＭＮ１  １０１８のホームネットワークプレフィックスまたは複数のホームネットワークプレフィックス、および／または該当する１または複数のマルチキャストポリシーの表示（例えば、マルチキャストポリシー自体、またはそれらのポリシーのビット標識）を含むことが可能である。ＬＭＡ１  １００６は、バインディングキャッシュエントリを生成することができ、かつ／またはＭＡＧ１  １０１０に対する双方向ＩＰトンネル１２１４（例えば、ＰＭＩＰｖ４トンネル、ＰＭＩＰｖ６トンネル、または別のバージョンのＩＰトンネル）のそれのエンドポイントをセットアップすることができる。ＭＡＧ１  １０１０は、例えば、符号１２０８でＰＢＡメッセージを受信した後、双方向ユニキャストトンネル１２１４（例えば、ＰＭＩＰｖ４トンネル、ＰＭＩＰｖ６トンネル、または別のバージョンのＩＰトンネル）のそれのエンドポイントをセットアップすることができる。ＭＡＧ１  １０１０は、ＭＮ１  １０１８のトラフィックのための転送をセットアップすることができる（例えば、符号１２０８でＰＢＡメッセージの中で受信された１または複数のポリシーの表示に基づいて）。ＭＡＧ１  １０１０は、符号１２１０でＭＮ１  １０１８にルータ告知メッセージを送信することができる。例えば、このルータ告知メッセージは、アクセスリンク上で送信されて、例えば、ＭＮ１０１８のホームネットワークプレフィックスまたは複数のホームネットワークプレフィックスを、ホストされたオンリンクプレフィックスまたは複数のオンリンクプレフィックスとして告知することができる。ＭＮ１  １０１８は、ルータ告知メッセージの中で示されるアクセスリンク上で許可されるモードを使用して、ＭＮ１  １０１８のインターフェースを構成しようと試みることができる。ＭＴＭＡ１  １００８は、符号１２１２でＩＰ動作を実行することができる。例えば、符号１２１２におけるＩＰ動作は、非特許文献１に記載されるＰＭＩＰｖ６動作を含むことが可能である。
【０１０８】
アドレス構成手順（例えば、図１２で符号１２０２〜１２１４に示される）の終わりに、ＭＮ１  １０１８は、それのホームネットワークプレフィックス（例えば、現在の接続ポイントにおける）からの１または複数のアドレスを有することが可能である。ＬＭＡ１  １００６は、ＭＮ１  １０１８に（例えば、ローカルでないノードによって）送信され得るパケットを受信することができる。ＬＭＡ１  １００６は、これらの受信されたパケットを、双方向トンネル１２１４経由でＭＡＧ１  １０１０に転送することができる。ＭＡＧ１  １０１０は、例えば、これらのパケットを受信した後、外側のヘッダを除去することが可能であり、かつ／またはこれらのパケットをアクセスリンク上でＭＮ１  １０１８に転送することが可能である。
【０１０９】
符号１２１６で、ＭＡＧ１  １０１０は、ＭＮ１  １０１８にマルチキャストリスナ探索（ＭＬＤ）クエリを送信して、ＭＮ１  １０１８に関連付けられた１または複数のマルチキャストグループを要求することができる。このＭＬＤクエリに応答して、ＭＮ１  １０１８は、符号１２１８でＭＬＤレポートを送信することができる。符号１２１８におけるＭＬＤレポートは、ＭＮ１  １０１８の関連するマルチキャストグループとしてマルチキャストグループＧ１および／またはＧ２を識別する情報を含むことができる。ＭＡＧ１  １０１０は、ＭＮ１  １０１８からＭＬＤレポートを受信することができ、さらに、例えば、１または複数のマルチキャストポリシー（例えば、１２０８で受信された）に基づいて、マルチキャストグループＧ１がＭＴＭＡ１  １００８およびＭＡＧ１  １０１０経由で（例えば、遠隔の送信元から）受信されるべきであり、マルチキャストグループＧ２がＭＡＧ１  １０１０経由で、ローカルで（例えば、直接に）受信されるべきであると判定することができる。このため、ＭＡＧ１  １０１０は、符号１２２０ｂでＭＴＭＡ１  １００８にＭＮ１  １０１８からのグループＧ１に関するＭＬＤレポートを送信することができ、かつ符号１２２２でローカルマルチキャストルータ１０３８にＭＮ１  １０１８からのグループＧ２に関するＭＬＤレポートを送信することができる。ＭＴＭＡ１  １００８およびＭＡＧ１  １０１０は、移動先ネットワークにおけるモバイルノードに（例えば、ＭＡＧ１  １０１０経由でＭＮ１  １０１８に）コンテンツをマルチキャストするようにマルチキャストトンネル１０２６をセットアップすることができる。ローカルマルチキャストルータ１０３８は、グループＧ２に関連付けられたコンテンツを、ＭＡＧ１  １０１０経由でマルチキャストすることができる。しかし、ローカルで利用可能なコンテンツは、トンネリングされない可能性があり、かつ／またはＭＣＮ１０２０を通らない可能性がある。
【０１１０】
図１２で、マルチキャストグループＧ１に関するＭＬＤレポートは、受信されたマルチキャストポリシーに基づいて、符号１２２０ａでＬＭＡ１  １００６経由で、および／または符号１２２０ｂでＭＴＭＡ１  １００８経由で遠隔／ホームネットワークに送信され得る。図１２に示されるように、ＬＭＡ１  １００６および／またはＭＴＭＡ１  １００８は、その後、マルチキャスト動作のためのアンカポイントの役割をすることができる。
【０１１１】
図１３は、様々なポリシーを使用するマルチキャスト探索の別の例示的な実装形態を示す図である。図１３に示されるように、ＭＡＧ１０１０は、ＭＮ１  １０１８からのマルチキャストサブスクリプション要求（例えば、ＭＬＤレポート１１１８）に基づいて、マルチキャストトラフィックを動的に、および／またはオンデマンドでどのように扱うべきかを示すポリシーを獲得することができる。例えば、マルチキャストサブスクリプション要求（例えば、ＭＬＤレポート１１１８）は、ポリシーまたはポリシー表示を獲得するためのプロセスをトリガすることができる。
【０１１２】
図１３に示される通信のためのシグナリングは、帯域外シグナリングを含みうる。例えば、ＭＡＧ１  １０１０は、帯域外シグナリングを介して情報を動的に獲得することができる（例えば、図１１に示される事前構成された手順と同様に）。このシグナリングのいくつかの例には、とりわけ、オープンモバイルアライアンス（ＯＭＡ）デバイス管理（ＤＭ）を介したシグナリング／クライアントプロビジョニング（ＣＰ）プロトコルシグナリング、ＡＮＤＳＦプロトコルシグナリング、Ｄｉａｍｅｔｅｒプロトコルシグナリング、および／またはＲＡＤＩＵＳプロトコルシグナリングが含まれ得る。マルチキャストサブスクリプション要求（例えば、ＭＬＤレポート１１１８）に基づいてポリシー情報を動的に、および／またはオンデマンドで獲得するため／決定するための拡張（例えば、ＰＭＩＰｖ６／ＧＴＰ拡張）が実施され得る。例えば、ＭＮ１  １０１８によって要求されたマルチキャストグループに対するサブスクリプションのいくつかが、ローカルサブスクリプションによって管理され得る（例えば、ＬＭＡ１  １００６は、マルチキャストポリシーメッセージの中でポリシー情報をＭＡＧ１  １０１０に伝送することができる）。
【０１１３】
ＭＴＭＡ１  １００８および／またはＬＭＡ１  １００６経由でマルチキャストポリシーを示すためのポリシーメッセージが使用され得る。さらに、または代替として、ＩＰ（例えば、ＰＭＩＰｖ６／ＧＴＰ）メッセージおよび／またはモビリティ／マルチキャストメッセージに基づくプロトコル拡張が使用され得る。このシグナリングは、例えば、ＭＡＧ１  １０１０が、ＭＬＤ集約されたジョイン（aggregated join）をＭＴＭＡ１  １００８および／またはＬＭＡ１  １００６に送信するデフォルトの動作（例えば、前の機構による影響を受けることが可能な）を行った後、行われてもよい。
【０１１４】
図１３に示されるように、ＭＡＧ１  １０１０は、コンテンツをルーティングするための１または複数のポリシーを示すマルチキャストポリシーメッセージを受信することができる。受信されたマルチキャストポリシーメッセージによって示される１または複数のポリシーは、ＭＡＧ１  １０１０が、所与のセットのポリシー考慮事項に関して実施されるように事前構成された（例えば、所定の）ポリシーを有さない場合に、実施され得る。代替として、受信されたマルチキャストポリシーによって示される１または複数のポリシーは、事前構成された（例えば、所定の）ポリシーに優先することも可能である。例えば、ＭＡＧ１  １０１０は、符号１３０２ｂでＭＴＭＡ１  １００８にマルチキャストグループＧ１とＧ２の両方のＭＬＤレポートを送信することを示す事前構成された（例えば、所定の）マルチキャストポリシーを受信していることが可能である。ＭＴＭＡ１  １００８は、符号１３０２ｂでＭＬＤレポートを受信することができ、さらに符号１３０４ｂでＭＡＧ１  １０１０にマルチキャストポリシーメッセージを送信することができる。このマルチキャストポリシーメッセージは、マルチキャストグループＧ１に関するＭＬＤレポートがＭＴＭＡ１  １００８に正しく送信されたが、マルチキャストグループＧ２に関するＭＬＤレポートが、符号１３０６でローカルマルチキャストルータ１０３８に送信されるべきことをＭＡＧ１  １０１０に示す現在のマルチキャストポリシーを含むことが可能である。マルチキャストグループＧ２に関するＭＬＤレポートは、例えば、符号１３０６でローカルマルチキャストルータ１０３８に送信可能であり、したがって、マルチキャストグループＧ１に関連付けられたコンテンツは、ＭＴＭＡ１  １００８およびＭＡＧ１  １０１０経由でＭＣＮ１０２０を通ることが可能であり、さらにマルチキャストグループＧ２に関連付けられたコンテンツは、ＭＡＧ１  １０１０経由で（例えば、ＭＣＮ１０２０を通ることなしに）ローカルで送信され得る。
【０１１５】
図１３で、ＭＬＤレポートは、例えば、事前構成されたマルチキャストポリシーまたは前もって受信されているマルチキャストポリシーに基づいて、符号１３０２ａでＬＭＡ１  １００６経由で、および／または符号１３０２ｂでＭＴＭＡ１  １００８経由で、遠隔／ホームネットワークに送信され得る。ＬＭＡ１  １００６および／またはＭＴＭＡ１  １００８は、マルチキャスト動作のためのアンカポイントの役割をすることができる。マルチキャストポリシーメッセージは、符号１３０４ａでＬＭＡ１  １００６によって、および／または符号１３０４ｂでＭＴＭＡ１  １００８によって送信されて、マルチキャストグループがローカルで（例えば、ローカルサブスクリプションを介して）、または遠隔で（例えば、遠隔サブスクリプションを介して）送信され得ることをＭＡＧ１  １０１０に示すことが可能である。
【０１１６】
図１４は、様々なポリシーを使用するマルチキャスト探索の別の例示的な実装形態を示す図である。図１４に示されるように、ＭＡＧ１０１０は、ＭＮ１  １０１８を介して、マルチキャストトラフィックをどのように扱うべきかの表示を受信することができる。例えば、ＭＮ１  １０１８は、ＭＮ１  １０１８のマルチキャストトラフィックをどのようにルーティングすべきかについての１または複数の選好（preference）を示すことができる。図１４に示されるように、ＭＮ１  １０１８は、ＭＮ１  １０１８の選好を示すことが可能であり、ネットワーク（例えば、ＭＡＧ１  １０１０）が、その選好を最終判定の際に考慮する（例えば、既成の他の１または複数のマルチキャストポリシーに応じてその選好を考慮する）ことが可能である。例えば、ユーザ／ＭＮの選好と他の１または複数のポリシー（例えば、通信事業者のポリシー）の間に矛盾が存在する場合、その矛盾は、選好と矛盾するポリシー／複数のポリシーのいずれかを選ぶことによって解決され得る。ＭＮ１  １０１８が、選好を提供することによって判定手順を支援することが可能であると本明細書で説明され得るが、ＭＮ１  １０１８および／またはＭＡＧ１  １０１０が、矛盾が生じ場合に判定プロセスを支配することが可能である。
【０１１７】
図１４に示されるＭＮに支援された手順のシグナリングは、ＭＮ１  １０１８からＭＡＧ１  １０１０にメッセージを送信する帯域外シグナリング（例えば、レイヤ２シグナリングを介する）を含みうる。拡張されたＭＬＤ／ＧＭＰシグナリング（例えば、強化されたＭＬＤ報告）は、トラフィックがＭＮ１  １０１８にどのように到達すべきか（例えば、遠隔／ホームネットワークを介して、またはローカルで）についての１または複数の選好を示す情報を含むようにＭＮに支援された手順において実施され得る。この選好は、ルーティング選好、またはユーザ／ＭＮの選好を記述するより詳細なフィールドを定義するフラグを含むことが可能である。例えば、この選好は、ＭＮ１  １０１８の選好がローカルであり得るコンテンツ取出しのための潜在的なネットワークまたはドメインのリスト、またはＭＮ１  １０１８の選好が遠隔／ホームネットワークまたは遠隔／ホームドメインであり得るコンテンツ取出しのための潜在的なネットワークまたはドメインのリストの中で示され得る。
【０１１８】
図１４を参照すると、ＭＮ１  １０１８は、符号１４０２で、ローカルグループサブスクリプションポイントまたはホームネットワークサブスクリプションポイントに関するマルチキャスト示唆、マルチキャストヒント、またはマルチキャスト選好を提供することができる。例えば、このマルチキャスト示唆、マルチキャストヒント、またはマルチキャスト選好は、ＭＮ１  １０１８からＭＡＧ１  １０１０に送信されるＭＬＤレポートの中に含められうる。ＭＡＧ１  １０１０によって実施されるマルチキャストポリシーは、事前構成されていること、所定であること、または、例えば、本明細書で説明されるシグナリングを介して動的に決定され得る。ＭＡＧ１  １０１０は、マルチキャストグループサブスクリプションポイントの選択の際にＭＮ１  １０１８のマルチキャストポリシーおよび／または選好を考慮することが可能である。別の例によれば、マルチキャストポリシー自体が、ＭＮ１  １０１８の選好を考慮することが可能である。ポリシーおよび／またはＭＮ１  １０１８選好に基づいて、ＭＡＧ１  １０１０は、決定されたサブスクリプションポイントにマルチキャストグループに関するＭＬＤレポートを送信することができる。例えば、Ｇ１に関するＭＬＤレポートが、符号１４０４ａでＬＭＡ１  １００６経由で、および／または符号１４０４ｂでＭＴＭＡ１  １００８経由で遠隔／ホームネットワークに送信可能であり、かつマルチキャストグループＧ２に関するＭＬＤレポートが、ポリシーおよび／またはＭＮ１  １０１８選好に基づいて、符号１４０６でローカルマルチキャストルータ１０３８に送信され得る。
【０１１９】
例示的な実施形態は、或るＩＰプロトコル（例えば、ＰＭＩＰｖ４および／またはＰＭＩＰｖ６）を実施するものとして本明細書で説明されるものの、他のモビリティプロトコル（例えば、ＩＰプロトコルまたはＧＴＰプロトコル）が実施されてもよい。さらに、コンテンツをルーティングするための例示的な実施形態は、ＭＡＧ経由で実施されるものとして本明細書で説明されるが、ローカルマルチキャストルータまたは別のネットワークエンティティがさらに、または代替として使用され得る。
【０１２０】
いくつかの代表的な実施形態において、ＭＴＭＡ手順の選択が、マルチキャストトラフィックのためのトポロジ上のアンカポイントとしてＭＴＭＡ１  １００８を有効にするのに使用され得る一方で、ＭＡＧ１  １０１０は、ＩＧＭＰ／ＭＬＤプロキシのままであってもよい。この選択は、マルチキャストトラフィックレプリケーションを低減し、かつ／または様々なＩＰ（例えば、ＰＭＩＰｖ６）実施シナリオをサポートすることができる。また、それは、モバイルノードが、例えば、ローミングシナリオにある場合でさえ、遠隔／ホームネットワークからのマルチキャストコンテンツにアクセスすることを可能にし、かつ／または加入者に配信されるコンテンツを通信事業者が制御できるようにすることが可能である。また、そのような実装形態は、ユーザが、移動先ネットワーク（例えば、移動先ドメイン１０３４）上でローミングしながら、彼らのホームコンテンツへのアクセスを保つことを可能にし得る。
【０１２１】
或る代表的な実施形態において、直接マルチキャストルーティングの選択が、ＭＡＧ１０１０とローカルマルチキャストルータ１０３８の間で直接接続を行うこと（例えば、ＬＭＡ１  １００６がマルチキャストコンテンツ配信に関与しないことが可能であるように）が可能なローカルルーティングを可能にし得る。直接マルチキャスト（またはローカルルーティング）は、ＭＮ１  １０１８が、移動先ドメイン１０３４において、および／または符号１０３４における特定のマルチキャストトラフィックに関するローカルブレイクアウトが使用され得る場合に、ローカルで利用可能なマルチキャストコンテンツにアクセスすることを可能にし得る。直接マルチキャストルーティングは、ＭＣＮ１０２０を通ることを回避することができ、さらに効率的な負担軽減をもたらすことができる。
【０１２２】
例示的な実施形態によれば、ＭＴＭＡ手順（専用ＬＭＡ手順とも呼ばれる）またはローカルサブスクリプション／ルーティング手順の間で選択することによって、ユニキャストトラフィックのためのアンカとマルチキャストトラフィックのためのアンカを別々にすることによってトンネルコンバージェンスが緩和され得る。本明細書で説明される実施形態は、ユーザが、ホームネットワークからのマルチキャストコンテンツにアクセスすることを可能にし、かつ／またはＭＮに対するより大きい支配力を通信事業者に与えることが可能である。
【０１２３】
マルチキャストコンテンツのローカルアクセスおよび／または遠隔アクセスを、例えば、ＬＭＡユニキャストを介する標準化された手順と統合することによって、マルチキャストトラフィックは、ホームドメイン、移動先ドメイン、および／またはローカルドメインに選択的にルーティングされ得る。本明細書で説明されるように、トラフィックの選択は、例えば、通信事業者ポリシー（例えば、３ＧＰＰ  ＳＩＰＴＯ、ＬＩＰＡなど）、ＭＮポリシー、ユーザポリシー、および／またはトラフィックタイプポリシーもしくはフローポリシーなどの様々なポリシーに基づくことが可能である。
【０１２４】
特徴および要素は、特定の組み合わせで本明細書において説明されるものの、各特徴または各要素は、単独で使用されることも、その他の特徴、およびその他の要素と任意の組み合わせで使用されてもよい。さらに、本明細書で説明される方法は、コンピュータまたはプロセッサによって実行されるようにコンピュータ可読媒体に組み込まれたコンピュータプログラム、ソフトウェアまたはファームウェアとして実装され得る。コンピュータ可読記憶媒体の例には、ＲＯＭ、ＲＡＭ、レジスタ、キャッシュメモリ、半導体メモリデバイス、内部ハードディスクおよびリムーバブルディスクなどの磁気媒体、光磁気媒体、並びにＣＤ−ＲＯＭディスクおよびデジタルバーサタイルディスク（ＤＶＤ）などの光媒体が含まれるが、これらには限定されない。プロセッサがソフトウェアと共同で、ＭＮ、ＷＴＲＵ、ＵＥ、端末装置、基地局、ＲＮＣ、または任意のホストコンピュータにおいて使用するための無線周波数トランシーバを実装するのに使用され得る。
【０１２５】
さらに、本明細書で説明される実施形態において、プロセッサを含む処理プラットフォーム、コンピュータシステム、コントローラおよび他のデバイスが実装され得る。これらのデバイスは、少なくとも１つの中央処理装置（「ＣＰＵ」）メモリ、および／または命令を送信するため、および／または受信するためのトランシーバを含むことが可能である。動作または命令は、様々なＣＰＵおよびメモリによって実行され得る。データビットが保持されるメモリロケーションは、それらのデータビットに対応する、またはそれらのデータビットを表す特定の電気特性、磁気特性、光特性または有機特性を有する物理ロケーションであることが可能である。また、それらのデータビットは、ＣＰＵによって読み取られることが可能な磁気ディスク、光ディスクおよび他の任意の揮発性（例えば、ＲＡＭ）ストレージシステムまたは不揮発性（例えば、ＲＯＭ）ストレージシステムを含むコンピュータ可読媒体上に保持されることも可能である。コンピュータ可読媒体には、処理システム上に存在することが可能であり、かつ／またはこの処理システムにローカルであることも、遠隔であることも可能な互いに接続された複数の処理システムの間に分散可能な、協調する、または互いに接続されたコンピュータ可読媒体が含まれ得る。本明細書で説明される実施形態は、前述したメモリまたはプラットフォームの使用に限定されず、他のプラットフォームおよびメモリが、説明される実施形態をサポートすることもできる。
【０１２６】
適切なプロセッサには、例えば、汎用プロセッサ、専用プロセッサ、従来のプロセッサ、デジタルシグナルプロセッサ（ＤＳＰ）、複数のマイクロプロセッサ、ＤＳＰコアに関連する１または複数のマイクロプロセッサ、コントローラ、マイクロコントローラ、ＡＳＩＣ、特定用途向け標準製品（ＡＳＳＰ）、ＦＰＧＡ回路、他の任意のタイプの集積回路（ＩＣ）、および／または状態マシンが含まれ得る。
【０１２７】
ソフトウェアと関連してプロセッサが、ＭＮ、ＷＴＲＵ、ＵＥ、端末装置、基地局、モビリティ管理エンティティ（ＭＭＥ）もしくは発展型パケットコア（ＥＰＣ）、または任意のホストコンピュータにおいて使用されるように無線周波数トランシーバを実装するのに使用され得る。ＭＮまたはＷＴＲＵは、ソフトウェア無線（ＳＤＲ）、並びにカメラ、ビデオカメラモジュール、テレビ電話、スピーカフォン、振動デバイス、スピーカ、マイクロフォン、テレビトランシーバ、ハンズフリーハンドセット、キーボード、Ｂｌｕｅｔｏｏｔｈ（登録商標）モジュール、周波数変調（ＦＭ）無線ユニット、近距離無線通信（ＮＦＣ）モジュール、液晶ディスプレイ（ＬＣＤ）ディスプレイユニット、有機発光ダイオード（ＯＬＥＤ）ディスプレイユニット、デジタル音楽プレーヤ、メディアプレーヤ、ビデオゲームプレーヤモジュール、インターネットブラウザ、および／または任意の無線ローカルエリアネットワーク（ＷＬＡＮ）モジュールもしくは超広帯域（ＵＷＢ）モジュールなどの他の構成要素を含むハードウェアおよび／またはソフトウェアで実装されたモジュールと連携して使用され得る。
【０１２８】
特定の実施形態が本明細書で説明されるものの、これらの実施形態は、限定することを意図していない。例えば、本明細書の実施形態は、通信システムの点で説明され得るが、本明細書で説明されるシステム、方法または装置は、マイクロプロセッサ／汎用コンピュータ（図示せず）上のソフトウェアとして実装されてもよい。いくつかの実施形態において、様々な構成要素の機能のうちの１または複数は、汎用コンピュータを制御するソフトウェアとして実装され得る。
【図１】
0005820932.tif 000002
【図２Ａ】
0005820932.tif 000003
【図２Ｂ】
0005820932.tif 000004
【図２Ｃ】
0005820932.tif 000005
【図２Ｄ】
0005820932.tif 000006
【図３】
0005820932.tif 000007
【図４】
0005820932.tif 000008
【図５Ａ】
0005820932.tif 000009
【図５Ｂ】
0005820932.tif 000010
【図６】
0005820932.tif 000011
【図７Ａ】
0005820932.tif 000012
【図７Ｂ】
0005820932.tif 000013
【図８】
0005820932.tif 000014
【図９】
0005820932.tif 000015
【図１０】
0005820932.tif 000016
【図１１】
0005820932.tif 000017
【図１２】
0005820932.tif 000018
【図１３】
0005820932.tif 000019
【図１４】
0005820932.tif 000020